(57)【特許請求の範囲】
【請求項１】
複数のユーザ端末とインターネットを介して接続され、前記複数のユーザ端末を介して、複数の売り手ユーザから登録された複数のショッピングサイトのうち少なくとも１つを買い手ユーザに提供する電子商取引サーバであって、
前記複数のショッピングサイトのいずれかに対する買い注文を受け付ける受注手段と、
前記買い手ユーザから前記複数のショッピングサイトにそれぞれ対応する複数の買い注文が受け付けられる場合に、前記複数の買い注文で定まる複数の商品の保管場所が同じであることを条件に前記複数の買い注文で定まる複数の商品を１回で発送するための送料を決定し、前記複数の買い注文で定まる複数の商品の保管場所が異なる場合には前記複数の商品各々を発送するための送料を決定する送料決定手段と、
前記買い手ユーザから前記複数のショッピングサイトにそれぞれ対応する複数の買い注文が受け付けられる場合に、前記複数の買い注文で定まる複数の商品それぞれの価格と、前記送料決定手段により決定された１以上の送料とを含む決済画面を生成する決済画面生成手段と、
前記複数の買い注文で定まる複数の商品のうちに、保管場所が互いに異なる第１の商品と第２の商品とが含まれる場合、前記第２の商品と保管場所が同じで、かつ、前記第２の商品と類似する商品を第３の商品を推奨商品として前記複数のショッピングサイトそれぞれが提供する複数の商品のうちから抽出する推奨商品抽出手段と、を備え、
前記決済画面生成手段は、前記第３の商品が推奨商品として抽出される場合、前記第３の商品の価格と、前記第１の商品と前記第３の商品とを発送するための送料として前記送料決定手段により決定された送料と、をさらに含む決済画面を生成する、電子商取引サーバ。
【請求項２】
複数のユーザ端末とインターネットを介して接続され、前記複数のユーザ端末を介して、複数の売り手ユーザから登録された複数のショッピングサイトのうち少なくとも１つを買い手ユーザに提供する電子商取引サーバで実行される電子商取引方法あって、
前記複数のショッピングサイトのいずれかに対する買い注文を受け付ける受注ステップと、
前記買い手ユーザから前記複数のショッピングサイトにそれぞれ対応する複数の買い注文が受け付けられる場合に、前記複数の買い注文で定まる複数の商品の保管場所が同じであることを条件に前記複数の買い注文で定まる複数の商品を１回で発送するための送料を決定し、前記複数の買い注文で定まる複数の商品の保管場所が異なる場合には前記複数の商品各々を発送するための送料を決定する送料決定ステップと、
前記買い手ユーザから前記複数のショッピングサイトにそれぞれ対応する複数の買い注文が受け付けられる場合に、前記複数の買い注文で定まる複数の商品それぞれの価格と、前記送料決定ステップにおいて決定された１以上の送料とを含む決済画面を生成する決済画面生成ステップと、
前記複数の買い注文で定まる複数の商品のうちに、保管場所が互いに異なる第１の商品と第２の商品とが含まれる場合、前記第２の商品と保管場所が同じで、かつ、前記第２の商品と類似する商品を第３の商品を推奨商品として前記複数のショッピングサイトそれぞれが提供する複数の商品のうちから抽出する推奨商品抽出ステップと、を含み、
前記決済画面生成ステップは、前記第３の商品が推奨商品として抽出される場合、前記第３の商品の価格と、前記第１の商品と前記第３の商品とを発送するための送料として前記送料決定ステップにより決定された送料と、をさらに含む決済画面を生成するステップを含む、電子商取引方法。
【請求項３】
複数のユーザ端末とインターネットを介して接続され、前記複数のユーザ端末を介して、複数の売り手ユーザから登録された複数のショッピングサイトのうち少なくとも１つを買い手ユーザに提供するコンピュータで実行される電子商取引プログラムあって、
前記複数のショッピングサイトのいずれかに対する買い注文を受け付ける受注ステップと、
前記買い手ユーザから前記複数のショッピングサイトにそれぞれ対応する複数の買い注文が受け付けられる場合に、前記複数の買い注文で定まる複数の商品の保管場所が同じであることを条件に前記複数の買い注文で定まる複数の商品を１回で発送するための送料を決定し、前記複数の買い注文で定まる複数の商品の保管場所が異なる場合には前記複数の商品各々を発送するための送料を決定する送料決定ステップと、
前記買い手ユーザから前記複数のショッピングサイトにそれぞれ対応する複数の買い注文が受け付けられる場合に、前記複数の買い注文で定まる複数の商品それぞれの価格と、前記送料決定ステップにおいて決定された１以上の送料とを含む決済画面を生成する決済画面生成ステップと、
前記複数の買い注文で定まる複数の商品のうちに、保管場所が互いに異なる第１の商品と第２の商品とが含まれる場合、前記第２の商品と保管場所が同じで、かつ、前記第２の商品と類似する商品を第３の商品を推奨商品として前記複数のショッピングサイトそれぞれが提供する複数の商品のうちから抽出する推奨商品抽出ステップと、を前記コンピュータに実行させ、
前記決済画面生成ステップは、前記第３の商品が推奨商品として抽出される場合、前記第３の商品の価格と、前記第１の商品と前記第３の商品とを発送するための送料として前記送料決定ステップにより決定された送料と、をさらに含む決済画面を生成するステップを含む、電子商取引プログラム。
【発明の詳細な説明】
【技術分野】
【０００１】
本発明は、電子商取引サーバ、電子商取引方法および電子商取引プログラムに関し、複数のショッピングサイトを提供する電子商取引サーバおよびその電子商取引サーバで実行される電子商取引方法および電子商取引プログラムに関する。
【背景技術】
【０００２】
従来から、インターネットのショッピングサイトを通じて様々な商品が販売されている。ここで、ショッピングサイトとは、インターネットを利用して商品又はサービスを購入できるサイトのことで、一般的にネット通販と呼ばれるサービスのことである。
【０００３】
この種のショッピングサイトは、ウェブサイトに買い物かごを設置したり、クレジット決済機能を設定したりする必要がある。そのために構築費用が必要となることも多く、主に通販会社等によって運営されていたが、最近では、無料又は安価で、個人が簡単にネット上にショッピングサイトを作ることができるサービスも普及してきている。
【０００４】
このような個人売買のネット商取引については、インターネット上に接続できる表示装置と入力装置とを備えた告知システムと、前記入力装置から入力された告知内容を保管検索管理する記憶システムと、前記告知システムと連動する決裁システムと物流管理サーバとを備えた店舗を利用し、利用者が前記告知システムを通じて欲しいものを公募し、別の利用者が売却予約を行い店舗がその物品の運搬と決裁を代行することにより、個人売買を仲介する商取引方法も知られている（特許文献１）。
【０００５】
しかしながら、従来の商取引方法は、商品を提供する売り手の利用者と売却予約をする買い手の利用者との１対１の関係での個人売買を仲介するので、買い手が複数の告知システムそれぞれに売却予約をした場合、複数の売り手の利用者と買い手と間で複数の仲介がなされるのみである。このため、買い手の利用者は、複数の売り手の利用者との間で、それぞれ商品の代金決済、商品の物流などの手続きをしなければならない。さらに、買い手の利用者は、商品の発送費用についても複数の売り手の利用者ごとに支払わなければならない場合がある。
【特許文献１】特開２００３−９１６５４号公報
【発明の概要】
【発明が解決しようとする課題】
【０００６】
この発明は上述した問題点を解決するためになされたもので、この発明の目的の１つは、買い手ユーザの購買意欲を向上させた電子商取引サーバ、電子商取引方法および電子商取引プログラムを提供することである。
【課題を解決するための手段】
【０００７】
上述した目的を達成するためにこの発明のある局面によれば、電子商取引サーバは、複数のユーザ端末とインターネットを介して接続され、複数のユーザ端末を介して、複数の売り手ユーザから登録された複数のショッピングサイトのうち少なくとも１つを買い手ユーザに提供する電子商取引サーバであって、複数のショッピングサイトのいずれかに対する買い注文を受け付ける受注手段と、買い手ユーザから複数のショッピングサイトにそれぞれ対応する複数の買い注文が受け付けられる場合に、複数の買い注文で定まる複数の商品の保管場所が同じであることを条件に複数の買い注文で定まる複数の商品を１回で発送するための送料を決定し、複数の買い注文で定まる複数の商品の保管場所が異なる場合には複数の商品各々を発送するための送料を決定する送料決定手段と、買い手ユーザから複数のショッピングサイトにそれぞれ対応する複数の買い注文が受け付けられる場合に、複数の買い注文で定まる複数の商品それぞれの価格と、送料決定手段により決定された１以上の送料とを含む決済画面を生成する決済画面生成手段と、複数の買い注文で定まる複数の商品のうちに、保管場所が互いに異なる第１の商品と第２の商品とが含まれる場合、第２の商品と保管場所が同じで、かつ、第２の商品と類似する商品を第３の商品を推奨商品として複数のショッピングサイトそれぞれが提供する複数の商品のうちから抽出する推奨商品抽出手段と、を備え、決済画面生成手段は、第３の商品が推奨商品として抽出される場合、第３の商品の価格と、第１の商品と第３の商品とを発送するための送料として送料決定手段により決定された送料と、をさらに含む決済画面を生成する。
【０００８】
この局面に従えば、複数のショッピングサイトにそれぞれ対応する複数の買い注文が受け付けられると、複数の買い注文で定まる複数の商品の保管場所が同じ場合に、複数の買い注文で定まる複数の商品を１回で発送するための送料を決定し、複数の買い注文で定まる複数の商品の保管場所が異なる場合には複数の商品各々を発送するための送料を決定する。そして、複数の買い注文で定まる複数の商品のうちに、保管場所が互いに異なる第１の商品と第２の商品とが含まれる場合、第２の商品と保管場所が同じ第３の商品を推奨商品として抽出し、第３の商品の価格と、第１の商品と第３の商品とを発送するための送料と、をさらに含む決済画面を生成する。このため、複数の買い注文に対して１回で発送する送料がより安い商品の組み合わせをユーザに提示することができる。その結果、買い手ユーザの購買意欲を向上させた電子商取引サーバを提供することができる。
【００１１】
この発明の他の局面によれば、電子商取引方法は、複数のユーザ端末とインターネットを介して接続され、複数のユーザ端末を介して、複数の売り手ユーザから登録された複数のショッピングサイトのうち少なくとも１つを買い手ユーザに提供する電子商取引サーバで実行される電子商取引方法あって、複数のショッピングサイトのいずれかに対する買い注文を受け付ける受注ステップと、買い手ユーザから複数のショッピングサイトにそれぞれ対応する複数の買い注文が受け付けられる場合に、複数の買い注文で定まる複数の商品の保管場所が同じであることを条件に前記複数の買い注文で定まる複数の商品を１回で発送するための送料を決定し、複数の買い注文で定まる複数の商品の保管場所が異なる場合には複数の商品各々を発送するための送料を決定する送料決定ステップと、買い手ユーザから複数のショッピングサイトにそれぞれ対応する複数の買い注文が受け付けられる場合に、複数の買い注文で定まる複数の商品それぞれの価格と、送料決定ステップにおいて決定された１以上の送料とを含む決済画面を生成する決済画面生成ステップと、複数の買い注文で定まる複数の商品のうちに、保管場所が互いに異なる第１の商品と第２の商品とが含まれる場合、第２の商品と保管場所が同じで、かつ、第２の商品と類似する商品を第３の商品を推奨商品として複数のショッピングサイトそれぞれが提供する複数の商品のうちから抽出する推奨商品抽出ステップと、を含み、決済画面生成ステップは、第３の商品が推奨商品として抽出される場合、第３の商品の価格と、第１の商品と第３の商品とを発送するための送料として送料決定ステップにより決定された送料と、をさらに含む決済画面を生成するステップを含む。
【００１２】
この局面に従えば、買い手ユーザの購買意欲を向上させた電子商取引サーバおよび電子商取引方法を提供することができる。
この発明のさらに他の局面によれば、電子商取引プログラムは、複数のユーザ端末とインターネットを介して接続され、複数のユーザ端末を介して、複数の売り手ユーザから登録された複数のショッピングサイトのうち少なくとも１つを買い手ユーザに提供するコンピュータで実行される電子商取引プログラムあって、複数のショッピングサイトのいずれかに対する買い注文を受け付ける受注ステップと、買い手ユーザから複数のショッピングサイトにそれぞれ対応する複数の買い注文が受け付けられる場合に、複数の買い注文で定まる複数の商品の保管場所が同じであることを条件に複数の買い注文で定まる複数の商品を１回で発送するための送料を決定し、複数の買い注文で定まる複数の商品の保管場所が異なる場合には複数の商品各々を発送するための送料を決定する送料決定ステップと、買い手ユーザから複数のショッピングサイトにそれぞれ対応する複数の買い注文が受け付けられる場合に、複数の買い注文で定まる複数の商品それぞれの価格と、送料決定ステップにおいて決定された１以上の送料とを含む決済画面を生成する決済画面生成ステップと、複数の買い注文で定まる複数の商品のうちに、保管場所が互いに異なる第１の商品と第２の商品とが含まれる場合、第２の商品と保管場所が同じで、かつ、第２の商品と類似する商品を第３の商品を推奨商品として複数のショッピングサイトそれぞれが提供する複数の商品のうちから抽出する推奨商品抽出ステップと、をコンピュータに実行させ、決済画面生成ステップは、第３の商品が推奨商品として抽出される場合、第３の商品の価格と、第１の商品と第３の商品とを発送するための送料として送料決定ステップにより決定された送料と、をさらに含む決済画面を生成するステップを含む。
【図面の簡単な説明】
【００１３】
【図１】本発明の実施の形態の１つにおける電子商取引システムの全体概要の一例を示す図である。
【図２】電子商取引サーバのハードウエア構成の一例を示す図である。
【図３】電子商取引サーバが備えるＣＰＵの機能の一例を示すブロック図である。
【図４】保管場所テーブルの一例を示す図である。
【図５】第１のショッピングサイトに対応する商品マスターの一例を示す図である。
【図６】第２のショッピングサイトに対応する商品マスターの一例を示す図である。
【図７】仮想ショッピングサイトに対応する商品マスターの一例を示す図である。
【図８】商品登録画面の一例を示す図である。
【図９】決済画面の一例を示す図である。
【図１０】ショッピングサイト生成処理の流れの一例を示すフローチャートである。
【図１１】セット商品登録処理の流れの一例を示すフローチャートである。
【図１２】仮想ショッピングサイト生成処理の流れの一例を示すフローチャートである。
【図１３】受注処理の流れの一例を示すフローチャートである。
【図１４】発注処理の流れの一例を示すフローチャートである。
【発明を実施するための形態】
【００１４】
以下、本発明の実施の形態について図面を参照して説明する。以下の説明では同一の部品には同一の符号を付してある。それらの名称および機能も同じである。したがって、それらについての詳細な説明は繰り返さない。
【００１５】
図１は、本発明の実施の形態の１つにおける電子商取引システムの全体概要の一例を示す図である。図１を参照して、電子商取引システム１は、電子商取引サーバ２００と、複数のユーザ端末１０１、１０３、１０５、３０１、３０３、３０５と、物流管理サーバ５００と、を含む。電子商取引サーバ２００と、複数のユーザ端末１０１、１０３、１０５、３０１、３０３、３０５と、物流管理サーバ５００と、は、互いにインターネットＮで接続されている。
【００１６】
複数のユーザ端末１０１、１０３、１０５、３０１、３０３、３０５と、物流管理サーバ５００とは、一般的なコンピュータである。それらのハードウエアおよび機能は一般的に知られているのでここでは説明を繰り返さない。なお、複数のユーザ端末１０１、１０３、１０５、３０１、３０３、３０５の例としてはパーソナルコンピュータであってもよいし、例えば、ＰＤＡ（携帯情報端末）、スマートフォン等の携帯電話であってもよい。
【００１７】
また、本実施の形態においては、説明のために、ユーザ端末１０１〜１０５、３０１〜３０５のうち、売り手ユーザが操作するユーザ端末を売り手端末１０１〜１０５とし、買い手ユーザが操作するユーザ端末を買い手端末３０１〜３０５とする。また、売り手端末１０１〜１０５のうち、紹介ユーザが操作するユーザ端末を紹介手端末１０５とする。なお、本実施の形態では、買い手端末３０１〜３０５、売り手端末１０１〜１０５についてそれぞれ３台を例示しているが、買い手端末については１台以上、売り手端末については２台以上であればよい。
【００１８】
図２は、電子商取引サーバのハードウエア構成の一例を示す図である。図２を参照して、電子商取引サーバ２００は、それぞれがバス２０８に接続されたＣＰＵ（中央演算装置）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ネットワークインターフェース（Ｉ／Ｆ）２０４、ハードディスクドライブ（ＨＤＤ）２０５、表示部２０６、操作部２０７および外部記憶装置２０９を含む。
【００１９】
ＣＰＵ２０１は、電子商取引サーバ２００の全体を制御する。ＲＯＭ２０２は、ＣＰＵ２０１が実行するプログラム等を記憶する。ＲＡＭ２０３は、ＣＰＵ２０１の作業領域として用いられる。ネットワークＩ／Ｆ２０４は、電子商取引サーバ２００をネットワークに接続するためのインターフェースである。ＨＤＤ２０５は、大容量記憶装置であり、データを不揮発的に記憶する。表示部２０６は、液晶表示装置、陰極線管（ＣＲＴ）、有機ＥＬＤ（Ｅｌｅｃｔｒｏ−Ｌｕｍｉｎｅｓｃｅｎｃｅ  Ｄｉｓｐｌａｙ）等の表示装置である。操作部２０７は、キーボード、および、マウス、タッチパネルなどのポインティングデバイスであり、ユーザの操作の入力を受け付ける。
【００２０】
外部記憶装置２０９は、ＣＤ（Ｃｏｍｐａｃｔ  Ｄｉｓｋ）−ＲＯＭ２０９Ａが装着される。ＣＰＵ２０１は、外部記憶装置２０９を介してＣＤ−ＲＯＭ２０９Ａに記憶されたプログラムをＲＡＭ２０３にロードし、実行する。なお、プログラムを記憶する記録媒体としては、ＣＤ−ＲＯＭ２０９Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。光ディスク（ＭＯ／ＭＤ／ＤＶＤ）、ＩＣカード、光カード、マスクＲＯＭ、ＥＰＲＯＭ、ＥＥＰＲＯＭなどの半導体メモリ等でもよい。また、ＨＤＤ２０５に記憶されたプログラムをＲＡＭ２０３にロードして実行するようにしてもよい。この場合、電子商取引サーバ２００が、インターネットＮに接続された他のコンピュータからプログラムをダウンロードして、そのプログラムをＨＤＤ２０５に記憶するようにしてもよい。ここでいうプログラムは、ＣＰＵ２０１が直接実行可能なプログラムだけでなく、ソースプログラム、圧縮処理されたプログラム、暗号化されたプログラム等を含む。
【００２１】
電子商取引サーバ２００は、売り手端末１０１〜１０５によって登録されたショッピングサイトを管理するとともに、買い手ユーザに対しショッピングサイトのウェブページを提供し、買い手端末３０１〜３０５から購入操作が行われた際に、商品の受注処理を実行する。
【００２２】
以下、説明のために、第１の売り手ユーザＡが売り手端末１０１を操作し、第２の売り手ユーザＢが売り手端末１０３を操作し、第３の売り手ユーザＣ（紹介ユーザ）が売り手端末１０５を操作し、買い手ユーザが買い手端末３０１を操作する場合を例に説明する。
【００２３】
図３は、電子商取引サーバが備えるＣＰＵの機能の一例を示すブロック図である。図３に示す機能は、ＣＰＵ２０１がＲＯＭ２０３に記憶されているプログラムを実行することによりＣＰＵ２０１に形成される。なお、ＣＰＵ２０１が実行するプログラムは、ＲＯＭ２０３に記憶されたプログラムに限られず、ＨＤＤ２０５、ＣＤ−ＲＯＭ２０９Ａに記憶されたプログラムであってもよい。
【００２４】
図３を参照して、ＣＰＵ２０１は、ショッピングサイトを生成するショッピングサイト管理部５１、ショッピングサイトの商品に対する買い注文を受け付ける受注部５３、決済部５５、推奨商品抽出部５７、を含む。
【００２５】
ショッピングサイト管理部５１は、売り手端末１０１〜１０５のいずれかからショッピングサイトを登録する命令、または仮想ショッピングサイトを登録する命令を受け付けると、ショッピングサイトまたは仮想ショッピングサイトを生成し、登録する。具体的には、ショッピングサイト管理部５１は、ショッピングサイト生成部６１、７１と、仮想ショッピングサイト生成部８１と、を含む。ここでは、ショッピングサイト生成部６１は、売り手端末１０１からショッピングサイトを登録する命令を受け付け、ショッピングサイト生成部７１は、売り手端末１０３からショッピングサイトを登録する命令を受け付け、仮想ショッピングサイト生成部８１は、売り手端末１０５から仮想ショッピングサイトを登録する命令を受け付ける。なお、ショッピングサイト生成部６１、７１の数は２つに限られず、売り手ユーザの数に対応する。
【００２６】
ショッピングサイト生成部６１は、第１の売り手ユーザＡが売り手端末１０１を操作し、ショッピングサイト登録要求を入力する操作をすれば、売り手端末１０１からショッピングサイト登録要求を受け付ける。ショッピングサイト生成部６１は、売り手端末１０１からショッピングサイトの登録要求を受け付けると、第１のショピングサイトに対応する商品マスターを生成し、ＨＤＤ２０５に記憶する。さらに、ショッピングサイト生成部６１は、第１の売り手ユーザＡが売り手端末１０１を操作し、商品登録要求を入力する操作をすれば、売り手端末１０１から商品登録要求を受け付ける。商品登録要求は、新たな商品を登録する場合には、その商品に関する情報を含む。商品に関する情報は、例えば、商品名、写真、説明、を含む。ショッピングサイト生成部６１は、商品登録要求を受け付けると、商品登録要求に対して１つの商品レコードを生成し、第１のショッピングサイトに対応する商品マスターに登録する。
【００２７】
また、商品登録要求は、別のショッピングサイトに登録された商品を登録する場合には、別のショッピングサイトのサイト識別情報と、そのショッピングサイトの商品識別情報とを含む。以下、別のショッピングサイトに登録された商品を登録するための商品登録要求を、代替商品登録要求という。
【００２８】
ショッピングサイト生成部６１は、商品登録要求を受け付けると、１つの商品に対する商品登録要求に対して１つの商品レコードを生成し、第１のショッピングサイトに対応する商品マスターに登録する。ショッピングサイト生成部６１が、商品登録要求に対して生成する商品レコードは、商品を識別するための商品識別情報を少なくとも含み、商品名、写真、説明、を含む。
【００２９】
ショッピングサイト生成部７１は、第２の売り手ユーザＢが売り手端末１０３を操作し、ショッピングサイト登録要求を入力する操作をすれば、売り手端末１０３からショッピングサイト登録要求を受け付ける。ショッピングサイト生成部７１は、売り手端末１０３からショッピングサイト登録要求を受け付けると、第２のショッピングサイトに対応する商品マスターを生成し、ＨＤＤ２０５に記憶する。さらに、ショッピングサイト生成部７１は、第２の売り手ユーザＢが売り手端末１０３を操作し、商品登録要求を入力する操作をすれば、売り手端末１０３から商品登録要求を受け付ける。ショッピングサイト生成部７１は、商品登録要求を受け付けると、１つの商品に対する商品登録要求に対して１つの商品レコードを生成し、第２のショッピングサイトに対応する商品マスターに登録する。ショッピングサイト生成部７１が、商品登録要求に対して生成する商品レコードは、商品を識別するための商品識別情報を少なくとも含み、商品名、写真、説明、を含む。ショッピングサイト生成部７１は、商品登録要求を受け付けると、商品登録要求に対して１つの商品レコードを生成し、第２のショッピングサイトに対応する商品マスターに登録する。
【００３０】
ショッピングサイト生成部６１は、関連付部６３と、セット部６５と、保管場所登録部６７を含む。関連付部６３は、第１の売り手ユーザＡからの要求によって、第１の売り手ユーザＡによって登録された第１のショピングサイトとは別の売り手ユーザによって登録されたショッピングサイトの商品を、第１のショッピングサイトの商品として関連付ける。具体的には、関連付部６３は、第１の売り手ユーザＡが売り手端末１０１を操作し、他のショッピングサイトの商品の登録するための代替商品登録要求を入力する操作をすれば、売り手端末１０１から代替商品登録要求を受け付ける。代替商品登録要求は、他のショッピングサイトを識別するサイト識別情報と、そのショッピングサイトに登録された商品の商品識別情報とを含む。関連付部６３は、代替商品登録要求を受け付けると、代替商品登録要求に対して１つの商品レコードを生成し、第１のショッピングサイトに対応する商品マスターに登録する。
【００３１】
関連付部６３が代替商品登録要求に対して生成する商品レコードは、第１のショッピングサイトにおいて登録される商品を識別するための商品識別情報と、他のショッピングサイトを識別するためのサイト識別情報と、他のショッピングサイトに登録された商品を識別するための商品識別情報と、を少なくとも含む。他のショッピングサイトを識別するためのサイト識別情報と、他のショッピングサイトに登録された商品を識別するための商品識別情報とは、売り手端末１０１から入力される代替商品登録要求に含まれる。より具体的には、関連付部６３は、第１の売り手ユーザＡが第２のショッピングサイトの商品の登録するための代替商品登録要求を入力する操作をすれば、売り手端末１０１から代替商品登録要求を受け付ける。代替商品登録要求は、第２のショッピングサイトを識別するサイト識別情報と、第２のショッピングサイトに登録された複数の商品のうちから第１の売り手ユーザＡによって選択された商品の商品識別情報とを含む。
【００３２】
関連付部６３は、代替商品登録要求を受け付けると、第１のショッピングサイトの商品を識別するための商品識別情報を付与し、その商品識別情報と、代替商品登録要求に含まれる第２のショッピングサイトのサイト識別情報および商品識別情報とを含む商品レコードを生成する。これにより、第１のショッピングサイトの商品と、第２のショッピングサイトに登録された複数の商品のうち第１の売り手ユーザＡによって選択された商品とが関連付けられる。
【００３３】
セット部６５は、複数の商品を１つのセット商品として登録する。複数の商品は、第１のショッピングサイトに登録された商品の他、他のショッピングサイトに登録された商品を含む。ここでは、他のショッピングサイトを第２のショッピングサイトとする場合を例に説明する。
【００３４】
具体的には、セット部６５は、第１の売り手ユーザＡが売り手端末１０１を操作し、セット商品を登録するためのセット商品登録要求を入力する操作をすれば、売り手端末１０１からセット商品登録要求を受け付ける。セット商品登録要求は、２以上の商品それぞれを識別するための２以上の商品識別情報を含む。
【００３５】
セット部６５は、セット商品登録要求を受け付けると、１つのセット商品登録要求に対して１つの商品レコードを生成し、第１のショッピングサイトに対応する商品マスターに登録する。セット部６５が、セット商品登録要求に対して生成する商品レコードは、第１のショッピングサイトにおいて登録されるセット商品を識別するための商品識別情報と、第１のショッピングサイトに登録された２以上の商品の商品識別情報とを含む。
【００３６】
また、セット商品登録要求は、第２のショッピングサイトに登録された商品をセット商品とすることを要求する場合は、第２のショッピングサイトを識別するサイト識別情報と、そのショッピングサイトに登録された商品の商品識別情報との組を含む。セット部６５は、セット商品登録要求が、第２のショッピングサイトを識別するサイト識別情報と商品識別情報との組を含む場合、それらを含む代替登録要求を、関連付部６３に出力する。関連付部６３は、セット部６５から代替登録要求が入力されると、第１のショッピングサイトの商品を識別するための商品識別情報を付与し、その商品識別情報と、セット部６５から入力される代替商品登録要求に含まれる第２のショッピングサイトのサイト識別情報および商品識別情報とを含む商品レコードを生成して商品マスターに登録するとともに、第１のショッピングサイトの商品を識別するための商品識別情報を、セット部６５に返信する。
【００３７】
セット部６５が、セット商品登録要求に対して生成する商品レコードは、代替登録要求を関連付部６３に出力する場合には、その後に関連付部６３から入力される商品識別情報を含む。これにより、第１のショッピングサイトに登録された複数の商品のうちから第１の売り手ユーザＡによって選択された２以上の商品を、１つのセット商品とした商品レコードが第１のショッピングサイトに対応する商品マスターに登録される。また、第１のショッピングサイトに登録された複数の商品のうちから第１の売り手ユーザＡによって選択された１以上の商品と、第２のショッピングサイトに登録された複数の商品のうちから第１の売り手ユーザによって選択された１以上の商品とを、１つのセット商品とした商品レコードが第１のショッピングサイトに対応する商品マスターに登録される場合がある。この場合は、第２のショッピングサイトに登録された複数の商品のうちから第１の売り手ユーザによって選択された１以上の商品にそれぞれ対応する１以上の商品レコードが第１のショッピングサイトに対応する商品マスターに登録される。
【００３８】
保管場所登録部６７は、第１のショッピングサイトに登録された商品を保管する場所を登録する。保管場所は、商品が在庫される倉庫等であり、商品を買い手ユーザに発送する際の発送元の地理的な位置を示す。予め保管場所ごとに保管場所を識別するための保管場所識別情報を付した保管場所データをＨＤＤ２０５に記憶しておき、第１の売り手ユーザが選択可能にすればよい。保管場所登録部６７は、第１の売り手ユーザＡにより指定された保管場所識別情報を、第１の売り手ユーザＡが登録した第１のショッピングサイトに関連付けた保管場所レコードを生成し、ＨＤＤ２０５に記憶された保管場所テーブルに追加する。ここでは、物流管理サーバ５００が管理する商品を保管する倉庫に保管場所識別情報「Ｐ００１」とし、第１の売り手ユーザＡが、保管場所識別情報「Ｐ００１」を指定した場合について説明する。第１の売り手ユーザＡが、第１のショッピングサイトに登録した商品自体は、保管場所識別情報「Ｐ００１」で識別される倉庫に保管され、物流管理サーバ５００によって、在庫数等が管理される。
【００３９】
ショッピングサイト生成部７１は、関連付部７３と、セット部７５と、保管場所登録部７７と、を含む。関連付部７３は、第２の売り手ユーザＢからの要求によって、第２の売り手ユーザＢによって登録された第２のショピングサイトとは別の売り手ユーザによって登録されたショッピングサイトの商品を、第２のショッピングサイトの商品として関連付ける。具体的には、関連付部７３は、第２の売り手ユーザＡが売り手端末１０３を操作し、代替商品登録要求を入力する操作をすれば、売り手端末１０３から代替商品登録要求を受け付ける。関連付部７３は、代替商品登録要求を受け付けると、他のショッピングサイトの商品に対する代替商品登録要求に対して１つの商品レコードを生成し、第２のショッピングサイトに対応する商品マスターに登録する。より具体的には、関連付部７３は、第２の売り手ユーザＢが第１のショッピングサイトの商品の登録するための代替商品登録要求を入力する操作をすれば、売り手端末１０３から代替商品登録要求を受け付ける。代替商品登録要求は、第１のショッピングサイトを識別するサイト識別情報と、第１のショッピングサイトに登録された複数の商品のうちから第２の売り手ユーザＢによって選択された商品の商品識別情報とを含む。
【００４０】
関連付部７３は、代替商品登録要求を受け付けると、第２のショッピングサイトの商品を識別するための商品識別情報を付与し、その商品識別情報と、代替商品登録要求に含まれる第１のショッピングサイトのサイト識別情報および商品識別情報とを含む商品レコードを生成する。これにより、第２のショッピングサイトの商品と、第１のショッピングサイトに登録された複数の商品のうち第２の売り手ユーザＢによって選択された商品とが関連付けられる。
【００４１】
セット部７５は、複数の商品を１つのセット商品として登録する。複数の商品は、第２のショッピングサイトに登録された商品の他、第１のショッピングサイトに登録された商品を含む。セット部６５は、第２の売り手ユーザＢが売り手端末１０３にセット商品登録要求を入力する操作をすれば、売り手端末１０３からセット商品登録要求を受け付ける。セット部７５は、セット商品登録要求を受け付けると、１つのセット商品登録要求に対して１つの商品レコードを生成し、第２のショッピングサイトに対応する商品マスターに登録する。セット部７５が、セット商品登録要求に対して生成する商品レコードは、第２のショッピングサイトにおいて登録されるセット商品を識別するための商品識別情報と、第２のショッピングサイトに登録された２以上の商品の商品識別情報とを含む。
【００４２】
また、セット商品登録要求は、第１のショッピングサイトに登録された商品をセット商品とすることを要求する場合は、第１のショッピングサイトを識別するサイト識別情報と、そのショッピングサイトに登録された商品の商品識別情報との組を含む。セット部７５は、セット商品登録要求が、第１のショッピングサイトを識別するサイト識別情報と商品識別情報との組を含む場合、それらを含む代替登録要求を、関連付部７３に出力する。関連付部７３は、セット部７５から代替登録要求が入力されると、第２のショッピングサイトの商品を識別するための商品識別情報を付与し、その商品識別情報と、セット部７５から入力される代替商品登録要求に含まれる第２のショッピングサイトのサイト識別情報および商品識別情報とを含む商品レコードを生成して商品マスターに登録するとともに、第２のショッピングサイトの商品を識別するための商品識別情報を、セット部７５に返信する。
【００４３】
セット部７５が、セット商品登録要求に対して生成する商品レコードは、代替登録要求を関連付部７３に出力する場合には、その後に関連付部７３から入力される商品識別情報を含む。これにより、第２のショッピングサイトに登録された複数の商品のうちから第２の売り手ユーザＢによって選択された２以上の商品を、１つのセット商品とした商品レコードが第２のショッピングサイトに対応する商品マスターに登録される。また、第２のショッピングサイトに登録された複数の商品のうちから第２の売り手ユーザＡによって選択された１以上の商品と、第１のショッピングサイトに登録された複数の商品のうちから第２の売り手ユーザＢによって選択された１以上の商品とを、１つのセット商品とした商品レコードが第１のショッピングサイトに対応する商品マスターに登録される。この場合は、第１のショッピングサイトに登録された複数の商品のうちから第２の売り手ユーザＢによって選択された１以上の商品にそれぞれ対応する１以上の商品レコードが第２のショッピングサイトに対応する商品マスターに登録される。
【００４４】
保管場所登録部７７は、第２のショッピングサイトに登録された商品を保管する場所を登録する。保管場所登録部７７は、第２の売り手ユーザＢにより指定された保管場所識別情報を、第２の売り手ユーザＢが登録した第２のショッピングサイトに関連付けた保管場所レコードを生成し、ＨＤＤ２０５に記憶された保管場所テーブルに追加する。ここでは、第２の売り手ユーザＢが、保管場所識別情報「Ｐ００１」を指定した場合について説明する。第２の売り手ユーザＢが、第２のショッピングサイトに登録した商品自体は、保管場所識別情報「Ｐ００１」で識別される倉庫に保管され、物流管理サーバ５００によって、在庫数等が管理される。
【００４５】
仮想ショッピングサイト生成部８１は、第３の売り手ユーザＣからの要求によって、仮想ショッピングサイトを生成する。第３の売り手ユーザＣが売り手端末１０５を操作し、仮想ショッピングサイトの登録要求を入力する操作をすれば、売り手端末１０５から仮想ショッピングサイト登録要求を受け付ける。仮想ショッピングサイト生成部８１は、売り手端末１０５から仮想ショッピングサイト登録要求を受け付けると、仮想ショッピングサイトに対応する商品マスターを生成し、ＨＤＤ２０５に記憶する。
【００４６】
なお、第３の売り手ユーザＣは、第１の売り手ユーザＡおよび第２の売り手ユーザとは異なる売り手ユーザである。第３の売り手ユーザＣは、他の売り手ユーザそれぞれが登録した複数のショッピングサイトの商品を紹介する紹介ユーザである。以下、第３の売り手ユーザＣを、紹介ユーザという場合もある。第３の売り手ユーザＣは、例えば、電子商取引サーバ２００に登録された複数のショッピングサイトを管理する管理者である。
【００４７】
仮想ショッピングサイト生成部８１は、仮想関連付部８３を含む。仮想関連付部８３は、第３の売り手ユーザＣからの要求によって、第３の売り手ユーザＣによって登録された仮想ショピングサイトとは別の複数のショッピングサイトそれぞれの商品を、仮想ショッピングサイトのセット商品として関連付ける。具体的には、仮想関連付部８３は、第３の売り手ユーザＣが売り手端末１０５を操作し、商品登録要求を入力する操作をすれば、売り手端末１０５から仮想商品登録要求を受け付ける。仮想関連付部８３は、セット商品登録要求を受け付けると、セット商品登録要求に対して１つの商品レコードを生成し、仮想ショッピングサイトに対応する商品マスターに登録する。より具体的には、仮想関連付部８３は、第３の売り手ユーザＣが仮想ショッピングサイトに商品を登録するためのセット商品登録要求を入力する操作をすれば、売り手端末１０５からセット商品登録要求を受け付ける。セット商品登録要求は、複数のショッピングサイトそれぞれの商品を識別するための情報として、ショッピングサイトのサイト識別情報と商品識別情報との組を含む。例えば、第１のショッピングサイトの商品と第２のショッピングサイトの商品が、第３の売り手ユーザによって選択された場合には、セット商品登録要求は、第１のショッピングサイトのサイト識別情報と商品識別情報の組と第２のショッピングサイトのサイト識別情報と商品識別情報の組と、を含む。
【００４８】
仮想関連付部８３は、セット商品登録要求を受け付けると、仮想ショッピングサイトのセット商品を識別するための商品識別情報を付与し、その商品識別情報と、仮想商品登録要求に含まれる第１のショッピングサイトのサイト識別情報および商品識別情報と、第２のショッピングサイトのサイト識別情報および商品識別情報と、を含む商品レコードを生成する。これにより、仮想ショッピングサイトの商品と、第１のショッピングサイトに登録された複数の商品のうち第３の売り手ユーザＣによって選択された商品および第２のショッピングサイトに登録された複数の商品のうち第３の売り手ユーザＣによって選択された商品とが関連付けられる。
【００４９】
図４は、保管場所テーブルの一例を示す図である。図４を参照して、保管場所テーブルは、複数のショッピングサイト別に保管場所レコードを含む。保管場所レコードは、サイト識別情報の項目と、保管場所識別情報の項目と、サイト名の項目と、を含む。サイト識別情報の項目は、ショッピングサイトのサイト識別情報が設定され、保管場所識別情報の項目は、保管場所を識別するための保管場所識別情報が設定され、サイト名の項目は、ショッピングサイトに付された名称が設定される。より具体的には、サイト識別情報が「Ｓ００１」の保管場所レコードによって、第１のショッピングサイトに登録された商品が、保管場所識別情報「Ｐ００１」で識別される物流管理サーバ５００が管理する倉庫に保管されていることを示す。また、サイト識別情報が「Ｓ００２」の保管場所レコードによって、第２のショッピングサイトに登録された商品が、保管場所識別情報「Ｐ００１」で識別される物流管理サーバ５００が管理する倉庫に保管されることを示す。さらに、サイト識別情報が「Ｓ００４」の保管場所レコードによって、サイト識別情報「Ｓ００４」のショッピングサイトに登録された商品が、保管場所識別情報「Ｐ００１」で識別される物流管理サーバ５００が管理する倉庫に保管されることを示す。
【００５０】
また、サイト識別情報が「Ｓ００３」の保管場所レコードによって、サイト識別情報「Ｓ００３」のショッピングサイトに登録された商品が、保管場所識別情報「Ｐ１１１」で識別される保管場所と関連付けられていることを示す。保管場所識別情報「Ｐ１１１」で識別される保管場所は、保管場所識別情報「Ｐ００１」で識別される物流管理サーバ５００が管理する商品を保管する倉庫とは地理的な位置が異なる。なお、保管場所は、倉庫に限らず、売り手ユーザが商品を発送する場所であれば、売り手ユーザの事務所であってもよい。
【００５１】
図５は、第１のショッピングサイトに対応する商品マスターの一例を示す図である。図５を参照して、第１のショッピングサイトに対応する商品マスター３５１は、第１の売り手ユーザＡが登録した第１のショッピングサイトＳ００１に対応する。商品マスター３５１は、商品ごとに商品レコードを含む。商品レコードは、商品識別情報、商品名、商品写真、商品説明、代替店識別情報、代替商品識別情報の各項目を含む。商品識別情報の項目は、ショッピングサイトの商品を識別するための商品識別情報が設定される。商品名、商品写真および商品説明の各項目は、商品識別情報の項目に設定された商品識別情報で特定される商品の名称、写真のファイル名、説明文のファイル名と、が設定される。
【００５２】
商品識別情報「Ａ００１」および「Ａ００２」の商品レコードは、代替店識別情報の項目および代替商品識別情報の項目に何も設定されていない。このため、第１の売り手ユーザＡにより第１のショッピングサイトに登録された商品であることが示される。商品識別情報「Ａ００３」の商品レコードは、代替店識別情報の項目に「Ｓ００２」が設定され代替商品識別情報の項目に「Ｂ００１」が設定される。商品識別情報「Ａ００３」の商品レコードは、第１のショッピングサイトにおいて商品識別情報「Ａ００３」の商品は、サイト識別情報「Ｓ００２」で特定される第２のショッピングサイトに登録された商品識別情報「Ｂ００１」で特定される商品が関連付けられていることを示す。同様に、商品識別情報「Ａ００４」の商品レコードは、代替店識別情報の項目に「Ｓ００２」が設定され代替商品識別情報の項目に「ＢＳ００１」が設定される。商品識別情報「Ａ００３」の商品レコードは、第１のショッピングサイトにおいて商品識別情報「Ａ００３」の商品は、サイト識別情報「Ｓ００２」で特定される第２のショッピングサイトに登録された商品識別情報「Ｂ００１」で特定される商品が関連付けられていることを示す。
【００５３】
図６は、第２のショッピングサイトに対応する商品マスターの一例を示す図である。図６を参照して、第２のショッピングサイトに対応する商品マスター３５１は、第２の売り手ユーザＢが登録した第２のショッピングサイトＳ００２に対応する。商品マスター３６１は、商品ごとに商品レコードを含む。商品レコードは、商品識別情報、商品名、商品写真、商品説明、代替店識別情報、代替商品識別情報、セット、セット商品内訳識別情報の各項目を含む。商品識別情報の項目は、そのショッピングサイトの商品を識別するための商品識別情報が設定される。商品名、商品写真および商品説明の各項目は、商品識別情報の項目に設定された商品識別情報で特定される商品の名称、写真のファイル名、説明文のファイル名と、が設定される。
【００５４】
代替店識別情報の項目および代替商品識別情報の項目は、別のショッピングサイトに登録された商品を特定するための情報として、その商品が登録された別のショッピングサイトを識別するためのサイト識別情報とその商品をその別のショッピングサイト内で識別するための商品識別情報と、が設定される。
【００５５】
セットの項目は、商品識別情報の項目に設定された商品がセット商品であることを示す場合にフラグ「○」が設定され、セット商品でない場合にはヌルが設定される。セット商品内訳識別情報の項目は、セットの項目にフラグ「○」が設定される場合に、セット商品を構成する複数の商品の商品識別情報が設定される。
【００５６】
商品識別情報「Ｂ００１」および「Ｂ００２」の商品レコードは、代替店識別情報の項目および代替商品識別情報の項目に何も設定されていない。このため、第２の売り手ユーザＢにより第２のショッピングサイトに登録された商品であることが示される。
【００５７】
商品識別情報「Ｂ００３」の商品レコードは、代替店識別情報の項目に「Ｓ００１」が設定され代替商品識別情報の項目に「Ａ００２」が設定される。商品識別情報「Ｂ００３」の商品レコードは、第２のショッピングサイトにおいて商品識別情報「Ｂ００３」の商品は、サイト識別情報「Ｓ００１」で特定される第１のショッピングサイトに登録された商品識別情報「Ａ００２」で特定される商品が関連付けられていることを示す。
【００５８】
また、商品識別情報「ＢＳ００１」の商品レコードおよび商品識別情報「ＢＳ００２」の商品レコードは、セットの項目に「○」が設定され、セット商品内訳識別情報の項目に商品識別情報「ＢＳ００１」および商品識別情報「ＢＳ００２」が設定される。このため、商品識別情報「ＢＳ００１」で特定される商品および商品識別情報「ＢＳ００２」で特定される商品がセット商品であることを示している。商品識別情報「ＢＳ００１」の商品レコードは、セット商品内訳識別情報の項目に「Ｂ００１」、「Ｂ００３」が設定される。このため、第２のショッピングサイトにおいて商品識別情報「ＢＳ００１」の商品は、商品識別情報「Ｂ００１」で特定される商品と、商品識別情報「Ｂ００３」で特定される商品とを組み合わせたセット商品であることを示す。なお、商品識別情報「Ｂ００３」の商品は、第１のショッピングサイトＳ００１の商品識別情報「Ａ００２」の商品であることを示す。このため、商品識別情報「ＢＳ００１」で特定される商品は、第２のショッピングサイトの商品識別情報「Ｂ００１」の商品と、第１のショッピングサイトＳ００１の商品識別情報「Ａ００２」の商品とを組み合わせたセット商品である。
【００５９】
同様に、商品識別情報「ＢＳ００２」の商品レコードは、セット商品内訳識別情報の項目に「Ｂ００２」、「ＢＳ００１」が設定される。このため、第２のショッピングサイトにおいて商品識別情報「ＢＳ００２」の商品は、商品識別情報「Ｂ００２」で特定される商品と、商品識別情報「ＢＳ００１」で特定されるセット商品とを組み合わせたセット商品であることを示す。なお、商品識別情報「ＢＳ００１」の商品は、セット商品であるため、商品識別情報「ＢＳ００２」で特定される商品は、商品識別情報「Ｂ００２」で特定される商品と、第２のショッピングサイトの商品識別情報「Ｂ００１」の商品と、第１のショッピングサイトの商品識別情報「Ａ００２」の商品と、を組み合わせたセット商品である。
【００６０】
図７は、仮想ショッピングサイトに対応する商品マスターの一例を示す図である。図７を参照して、仮想ショッピングサイトに対応する商品マスター３７１は、第３の売り手ユーザＣが登録した仮想ショッピングサイトＶ００１に対応する。商品マスター３７１は、商品ごとに商品レコードを含む。商品レコードは、商品識別情報、代替店識別情報、代替商品識別情報の各項目を含む。
【００６１】
商品識別情報「Ｃ００１」の商品レコードは、代替店識別情報の項目および代替商品識別情報の項目に設定される値が、「Ｓ００１」および「Ａ００１」の組と、「Ｓ００２」および「Ｂ００１」の組と、を含む。商品識別情報「Ｃ００１」の商品レコードは、仮想ショッピングサイトにおいて商品識別情報「Ｃ００１」の商品は、サイト識別情報「Ｓ００１」で特定される第１のショッピングサイトに登録された商品識別情報「Ａ００１」で特定される商品と、サイト識別情報「Ｓ００２」で特定される第２のショッピングサイトに登録された商品識別情報「Ｂ００１」で特定される商品と、を組み合わせたセット商品であることを示す。
【００６２】
図８は、商品登録画面の一例を示す図である。商品登録画面は、売り手ユーザがショッピングサイトに登録する商品を選択する場合に売り手端末に表示される画面である。図８を参照して、商品登録画面は、ＨＤＤ２０５に記憶されているすべての商品マスタに登録されている商品の商品識別情報の一覧が、第１のショッピングサイトおよび第２のショッピングサイトごとに表示される。
【００６３】
例えば、第１の売り手ユーザが、商品登録画面において、第２のショッピングサイトＳ００２のＢ００３の商品識別情報を指示すれば、第２のショッピングサイトＳ００２のＢ００３の商品を、第１のショッピングサイトに登録する商品として選択することができる。
【００６４】
図３に戻って、受注部５３は、買い手ユーザから複数のショッピングサイトのいずれかに対する買い注文を受け付ける。受注部５３は、買い手ユーザが買い手端末３０１を操作し、第１のショッピングサイトＳ００１、第２のショッピングサイトＳ００２および仮想ショッピングサイトＶ００１のいずれかを選択する操作をすれば、買い手端末３０１からショッピングサイトの選択要求を受け付ける。選択要求は、ショッピングサイトを識別するためのサイト識別情報を含む。
【００６５】
受注部５３は、選択要求を受け付けると、該当するショッピングサイトのウェブページを買い手端末３０１に送信する。ショッピングサイトのウェブページは、そのショッピングサイトに登録された商品を選択可能に表示するページである。例えば、商品の写真、説明、価格を含む。ここでは、第１のショッピングサイトＳ００１が選択された場合を例に説明する。
【００６６】
次に、買い手ユーザが買い手端末３０１を操作し、第１のショッピングサイトＳ００１のウェブページのうちから商品を選択する操作をすれば、受注部５３は、買い手端末３０１から選択された商品の商品識別情報を受け付ける。受注部５３は、買い手ユーザが第１のショッピングサイトＳ００１のウェブページのうちから複数の商品を選択する操作をする場合、買い手端末３０１から選択された複数の商品の商品識別情報を受け付ける。また、買い手ユーザが買い手端末３０１を操作し、続けて、第２のショッピングサイトＳ００２を選択し、第２のショッピングサイトのウェブページのうちから商品を選択する操作をすれば、受注部５３は、買い手端末３０１から選択された商品の商品識別情報を受け付ける。この場合、受注部５３は、第１のショッピングサイトの１以上の商品と、第２のショッピングサイトの１以上の商品とに対する買い注文を受け付ける。受注部５３は、買い手ユーザが注文を確定するまでに選択した１以上の商品をまとめて１つの買い注文として受け付ける。
【００６７】
したがって、受注部５３が受け付ける１つの買い注文は、サイト識別情報と１以上の商品識別情報との組を含む。また、１つの買い注文は、サイト識別情報と１以上の商品識別情報との組を複数含む場合がある。受注部５３は、買い注文を受け付けると、その買い注文を識別するための買い注文番号を付与する。
【００６８】
受注部５３は、複数のショッピングサイトをそれぞれ登録した複数の売り手ユーザのうちから買い注文に対応する売り手ユーザを特定し、特定した売り手ユーザに買い注文を通知する。具体的には、受注部５３は、買い注文を受け付ける場合、買い注文に含まれるサイト識別情報で特定されるショッピングサイトの商品マスターを参照し、買い注文に含まれる商品識別情報を含む商品レコードを抽出する。１つの買い注文が、複数の商品識別情報を含む場合、受注部５３は、商品識別情報と同じ数の商品レコードを抽出する。また、１つの買い注文が、サイト識別情報と１以上の商品識別情報との組を複数含む場合、受注部５３は、複数のサイト識別情報それぞれに対応する商品マスターを参照し、それぞれの商品マスターから商品レコードを抽出する。
【００６９】
受注部５３は、個別受注部９１と、代替受注部９５と、セット商品受注部９３と、を含む。受注部５３は、抽出された複数の商品レコードがセットの項目に印「○」が設定されていなければ場合、買い注文番号と、当該商品レコードと、サイト識別情報との組を含む個別受注指示を、個別受注部９１に出力する。受注部５３は、抽出された複数の商品レコードがセットの項目に印「○」が設定されている場合、買い注文番号と、当該商品レコードと、サイト識別情報との組を含むセット受注指示をセット商品受注部９３に出力する。
【００７０】
個別受注部９１は、個別受注指示が入力されると、個別受注指示に含まれる商品レコードの代替店識別情報および代替商品識別情報の各項目に何も設定されていない場合、個別受注指示に含まれるサイト識別情報で特定されるショッピングサイトを登録した売り手ユーザを特定し、特定した売り手ユーザに商品レコードを含む買い注文を通知する。また、個別受注部９１は、個別受注指示に含まれる買い注文番号と、サイト識別情報と、商品レコードとの組を含む決済指示を決済部５５に出力する。
【００７１】
例えば、個別受注指示に含まれるサイト識別情報によってショッピングサイトＳ００１が特定される場合、ショッピングサイトＳ００１を登録した売り手ユーザＡを特定し、売り手ユーザＡに商品レコードを含む買い注文を含む電子メールを送信する。さらに、売り手ユーザＡが売り手端末１０１で電子商取引サーバ２００にログイン等した場合に、売り手端末１０１に商品レコードを含む買い注文を送信する。
【００７２】
個別受注部９１は、個別受注指示が入力されると、個別受注指示に含まれる商品レコードの代替店識別情報および代替商品識別情報の各項目にサイト識別情報および商品識別情報が設定されている場合、個別受注指示に含まれる買い注文番号と商品レコードの組を含む代替受注指示を代替受注部９５に出力する。
【００７３】
代替受注部９５は、個別受注部９１から代替受注指示が入力されると、代替受注指示に含まれる商品レコードの代替店識別情報の項目に設定されているサイト識別情報で特定されるショッピングサイトを登録した売り手ユーザを特定する。さらに、代替受注部９５は、代替受注指示に含まれる商品レコードの代替店識別情報の項目に設定されているサイト識別情報で特定されるショッピングサイトに対応する商品マスターを参照し、代替受注指示に含まれる商品レコードの代替商品識別情報の項目に設定されている商品識別情報に対応する商品レコードを抽出する。そして、代替受注部９５は、特定した売り手ユーザに、抽出された商品レコードを含む買い注文を通知する。また、代替受注部９５は、代替受注指示に含まれる買い注文番号と、代替受注指示に含まれる商品レコードの代替店識別情報の項目に設定されているサイト識別情報と抽出された商品レコードとの組を含む決済指示を決済部５５に出力する。
【００７４】
例えば、代替受注指示に含まれる商品レコードの代替店識別情報の項目にサイト識別情報「Ｓ００１」が設定されている場合、ショッピングサイトＳ００１を登録した売り手ユーザＡを特定する。さらに、代替受注指示に含まれる商品レコードの商品識別情報「Ａ００３」を含む場合、第２のショッピングサイトＳ００２の商品マスター３６１を参照して、商品識別情報「Ｂ００１」の商品レコードを取得する。そして、代替受注部９５は、ショッピングサイトＳ００２を登録した売り手ユーザＢを特定し、売り手ユーザＢに、商品識別情報「Ｂ００１」の商品レコードを含む買い注文を含む電子メールを送信する。さらに、売り手ユーザＢが売り手端末１０３で電子商取引サーバ２００にログイン等した場合に、売り手端末１０３に商品レコードを含む買い注文を送信する。
【００７５】
セット商品受注部９３は、セット受注指示が入力されると、セット受注指示に含まれる商品レコードのセット商品内訳識別情報に設定されている複数の商品識別情報を取得する。そして、セット商品受注部９３は、セット受注指示に含まれるサイト識別情報で特定されるショッピングサイトの商品マスターを参照し、取得された複数の商品識別情報にそれぞれ対応する複数の商品レコードを取得する。商品マスターを参照して、取得された商品識別情報と同じ商品識別情報が商品識別情報の項目に設定された商品レコードを抽出する。セット商品受注部９３は、抽出された複数の商品レコードそれぞれについて、セット受注指示に含まれる買い注文番号と、その商品レコードと、セット受注指示に含まれるサイト識別情報との組を含む個別受注指示を個別受注部９１に出力する。例えば、サイト識別情報「Ｓ００２」と商品識別情報「ＢＳ００１」の商品レコードを含むセット受注指示が入力される場合、セット受注指示に含まれる買い注文番号と、商品識別情報「Ｂ００１」の商品レコードと、サイト識別情報「Ｓ００２」との組を含む個別受注指示と、セット受注指示に含まれる買い注文番号と、商品識別情報「Ｂ００３」の商品レコードと、サイト識別情報「Ｓ００２」との組を含む個別受注指示と、を個別受注部９１に出力する。
【００７６】
決済部５５は、個別受注部９１または代替受注部９５から決済指示が入力される。決済指示は商品レコードを含むので、決済部５５は、個別受注部９１または代替受注部９５から入力される決済指示のうち買い注文番号が同じ決済指示に基づいて、１つの買い注文により特定されるすべての商品を特定する。決済部５５は、買い手ユーザに課金するとともに、売り手ユーザに発注する。
【００７７】
決済部５５は、保管場所別分類部１１と、送料決定部１３と、決済画面通知部１５と、課金部１７と、売り手別分類部１９と、送料分割部２１と、受注情報通知部２３と、を含む。
【００７８】
保管場所別分類部１１は、個別受注部９１または代替受注部９５から入力される１以上の決済指示のうち買い注文番号が同じ１以上の決済指示に含まれる１以上の商品レコードを、保管場所別に分類する。具体的には、個別受注部９１または代替受注部９５から入力される１以上の決済指示のうち買い注文番号が同じ１以上の決済指示それぞれにおいて、その決済指示に含まれるサイト識別情報に関連付けられた保管場所識別情報を特定する。ＨＤＤ２０５に記憶されている保管場所テーブルを参照して、サイト識別情報がサイト識別情報の項目に設定された保管場所レコードを抽出し、保管場所識別情報を取得する。そして、買い注文番号が同じ１以上の決済指示を、保管場所識別情報で分類する。これにより、保管場所識別情報別に１以上の決済指示が分類される。１つの保管場所識別情報に対して１以上の決定指示が関連付けられる。保管場所別分類部１１は、保管場所識別情報を送料決定部１３に出力し、保管場所識別情報とその保管場所識別情報に関連付けられた１以上の決済指示との組を決済画面通知部１５に出力する。１以上の決済指示が複数の保管場所識別情報に分類される場合、保管場所別分類部１１は、１以上の決済指示が分類された複数の保管場所識別情報のすべてを送料決定部１３に出力し、保管場所識別情報と１以上の決済指示との組を複数の保管場所識別情報の数だけ決済画面通知部１５に出力する。
【００７９】
送料決定部１３は、１以上の保管場所識別情報が入力され、１以上の保管場所識別情報ごとに送料を決定し、１以上の保管場所識別情報それぞれに送料を割り当てる。保管場所別に送料を対応付けた送料データを予め記憶しておき、保管場所識別情報に対応付けられた送料を決定する。送料決定部１３は、１以上の保管場所識別情報ごとに割り当てられた送料を決済画面通知部１５に出力する。
【００８０】
なお、保管場所別に対応付けられた送料は、予め定められた額としてもよいし、商品の合計額に応じて定まるようにしてもよい。例えば、合計額が高いほど、送料を高くする。また、商品の体積または重量に応じて送料を算出するようにしてもよい。
【００８１】
決済画面通知部１５は、保管場所別分類部１１から保管場所識別情報と１以上の決済指示との組が１以上入力され、送料決定部１３から１以上の保管場所識別情報ごととに割り当てられた送料が入力される。決済画面通知部１５は、保管場所別分類部１１から入力される１以上の保管場所識別情報と１以上の決済指示との組ごとに、１以上の決済指示に含まれる１以上の商品レコードに基づいて、１以上の商品を特定する。そして、特定した１以上商品と、送料とを含む決済画面を生成する。
【００８２】
決済画面通知部１５は、保管場所別分類部１１から保管場所識別情報と１以上の決済指示との組が複数入力される場合、複数の組を含む抽出指示を推奨商品抽出部５７に出力する。
【００８３】
推奨商品抽出部５７は、決済画面通知部１５から抽出指示が入力されると、抽出指示に含まれる複数の組の１つを選択し、選択された組に含まれる保管場所識別情報を特定する。複数の組のうちから選択する方法は、限定するものではないが、１以上の決済指示が最多の組を選択するのが好ましい。また、複数の組のうち予め定められた保管場所情報を含む組を選択するようにしてもよい。推奨商品抽出部５７は、ＨＤＤ２０５に記憶されたすべての商品マスターのうちから検索対象となる商品マスターを決定する。具体的には、選択された組に含まれる保管場所識別情報と保管場所テーブルによって関連付けられた１以上のサイト識別情報を特定する。そして、特定されたサイト識別情報に関連付けられた商品マスターを検索の対象となる商品マスターに決定する。推奨商品抽出部５７は、検索の対象に決定された商品マスターを検索して、選択されなかった組に含まれる決済指示に含まれる商品レコードで特定される商品と類似の商品を抽出する。類似の商品を検索する方法は周知の技術を用いることができる。例えば、商品名が同一または類似の商品、商品の種類が同一または類似の商品を抽出するようにすればよい。また、商品レコードに、キーワードを付加するようにし、キーワードが同一または類似の商品ンを抽出するようにしてもよい。推奨商品抽出部５７は、抽出された商品の商品レコードおよびサイト識別情報の組を決済画面通知部１５に返信する。
【００８４】
決済画面通知部１５は、推奨商品抽出部５７から商品レコードおよびサイト識別情報の組が入力される場合、その商品レコードで特定される商品に対して買い注文を追加可能な状態の決済画面を生成する。以下、推奨商品抽出部５７から入力される商品レコードで特定される商品を、推奨商品という。
【００８５】
決済画面通知部１５は、生成した決済画面を買い手ユーザに通知する。具体的には、決済画面を、買い注文番号で特定される買い注文をした買い手ユーザが操作する買い手端末３０１に送信する。これにより、買い手ユーザは、決済画面を見ることにより、自分が注文した商品と、送料とを確認することができる。買い手ユーザが買い手端末３０１に決済指示を入力すれば、決済画面通知部１７は、課金部１７に、課金指示を出力するとともに、送料分割部２１に発注指示を出力する。課金指示および発注指示は、買い注文番号と保存場所識別情報に割り当てられた送料とを含む。  図９は、決済画面の一例を示す図である。ここでは、買い手ユーザが、ショッピングサイト識別情報「Ｓ００１」のショッピングサイトに登録された商品識別情報「Ａ００１」の商品と、ショッピングサイト識別情報「Ｓ００２」のショッピングサイトに登録された商品識別情報「Ｂ００１」の商品と、ショッピングサイト識別情報「Ｓ００３」のショッピングサイトに登録された商品識別情報「Ｃ００１」の商品と、に対して買い注文を入力した場合に表示される決済画面を示している。図９を参照して、決済画面は、買い注文に対応する３つの商品それぞれに対して、ショッピングサイトの名称、サイト識別情報、商品名、商品識別情報、商品情報、商品代金の表示を含む。ショッピングサイト識別情報「Ｓ００１」のショッピングサイトに登録された商品識別情報「Ａ００１」の商品に対して、ショッピングサイトの名称「ショップＡ」、サイト識別情報「Ｓ００１」、商品名「商品Ａ」、商品識別情報「Ａ００１」、商品代金１，０００円の表示を含む。ショッピングサイト識別情報「Ｓ００２」のショッピングサイトに登録された商品識別情報「Ｂ００１」の商品に対して、ショッピングサイトの名称「ショップＢ」、サイト識別情報「Ｓ００２」、商品名「商品Ｂ」、商品識別情報「Ｂ００１」、商品代金２，０００円の表示を含む。ショッピングサイト識別情報「Ｓ００３」のショッピングサイトに登録された商品識別情報「Ｃ００１」の商品に対して、ショッピングサイトの名称「ショップＣ」、サイト識別情報「Ｓ００３」、商品名「商品Ｃ」、商品識別情報「Ｃ００１」、商品代金３，０００円の表示と、さらに、「カートから削除」の文字が表されたボタンと、を含む。
【００８６】
ここで、図４に示した保管場所テーブルによると、ショッピングサイト識別情報「Ｓ００１」のショッピングサイトに登録された商品識別情報「Ａ００１」の商品と、ショッピングサイト識別情報「Ｓ００２」のショッピングサイトに登録された商品識別情報「Ｂ００１」の商品とは、保管場所識別情報がともに「Ｐ００１」で同じである。ショッピングサイト識別情報「Ｓ００３」のショッピングサイトに登録された商品識別情報「Ｃ００１」の商品のみが、保管場所識別情報が「Ｐ１１１」で、他の商品と異なる。このため、ショッピングサイト識別情報「Ｓ００１」のショッピングサイトに登録された商品識別情報「Ａ００１」の商品と、ショッピングサイト識別情報「Ｓ００２」のショッピングサイトに登録された商品識別情報「Ｂ００１」の商品とをまとめて配送することができるので、決済画面は、それらの商品を１回で配送するための送料１，０００円の表示と、商品代金の小計として３，０００円の表示を含む。
【００８７】
このため、
また、ショッピングサイト識別情報「Ｓ００３」のショッピングサイトに登録された商品識別情報「Ｃ００１」の商品は、他の商品とは別に配送されるため、決済画面は、その商品を配送するための送料５００円の表示と、商品代金３，０００円の表示とを含む。
【００８８】
また、決済画面は、商品代金の合計として６，０００円の表示および送料の合計１，５０００円の表示、および商品代金の合計と送料の合計とを加算した支払代金７，５００円の表示を含む。
【００８９】
さらに、ショッピングサイト識別情報「Ｓ００３」のショッピングサイトに登録された商品識別情報「Ｃ００１」の商品に代わる推奨商品の表示を含む。ここでは、推奨商品を、ショッピングサイト識別情報「Ｓ００４」のショッピングサイトに登録された商品識別情報「Ｄ００１」の商品としている。ショッピングサイト識別情報「Ｓ００４」のショッピングサイトに登録された商品識別情報「Ｄ００１」の商品は、ショッピングサイト識別情報「Ｓ００３」のショッピングサイトに登録された商品識別情報「Ｃ００１」の商品と、同一または類似する商品である。決済画面は、ショッピングサイト識別情報「Ｓ００４」のショッピングサイトに登録された商品識別情報「Ｄ００１」の商品に対して、ショッピングサイトの名称「ショップＤ」、サイト識別情報「Ｓ００４」、商品名（商品Ｄ）、商品識別情報「Ｂ００１」、商品情報、商品代金３，４００円の表示を含み、さらに、カートに追加の文字が表されたボタンと、商品入替の文字が表されたボタンと、を含む。
【００９０】
図４に示した保管場所テーブルによると、ショッピングサイト識別情報「Ｓ００４」のショッピングサイトに登録された商品識別情報「Ｄ００１」の商品は、保管場所識別情報が「Ｐ００１」である。このため、ショッピングサイト識別情報「Ｓ００４」のショッピングサイトに登録された商品識別情報「Ｄ００１」の商品は、ショッピングサイト識別情報「Ｓ００１」のショッピングサイトに登録された商品識別情報「Ａ００１」の商品と、ショッピングサイト識別情報「Ｓ００２」のショッピングサイトに登録された商品識別情報「Ｂ００１」の商品と、を１回で発送することができる。このため、決済画面は、「商品Ｃに代えて下記の商品購入の場合の送料は１，０００円です。」のメッセージの表示を含む。より具体的に説明すれば、ショッピングサイト識別情報「Ｓ００３」のショッピングサイトに登録された商品識別情報「Ｃ００１」の商品の買い注文をキャンセルし、ショッピングサイト識別情報「Ｓ００４」のショッピングサイトに登録された商品識別情報「Ｄ００１」の商品を購入する場合、３つの商品を配送するための送料は「１，０００」円である。一方、商品代金の合計は、商品Ａの商品代金１，０００円と、商品Ｂの商品代金２，０００円と、商品Ｄの商品代金３，４００との合計６，４００円である。このため、商品代金の合計６，４００円と、送料１，０００との合計は、７，４００となる。その結果、商品Ａと、商品Ｂと、商品Ｄとを購入した場合の支払金額（７，４００円）の方が、商品Ａと、商品Ｂと、商品Ｃとを購入した場合の支払金額（７，７００円）よりも安くなる。このため、買い手ユーザは、商品Ａおよび商品Ｂを購入する場合に、商品Ｄよりも商品Ｃを購入する方が、支払総額が低くなるので、商品Ｄを商品Ｃよりも優先して購入する場合が多くなる。その結果、買い手ユーザに、より安く購入できる商品の組み合わせを提示することで、買い手ユーザにコストメリットのある商品の組み合わせに関する情報を提供することができる。
【００９１】
また、売り手ユーザにおいては、他の商品と組み合わせて購入される場合に、他の商品よりも優先して購入される機会が増加するので、商品の販売数量が増加する場合がある。
【００９２】
買い手ユーザが、決済画面において、商品Ｃに対して表示された「カートから削除」の文字が表されたボタンを指示する操作と、商品Ｄに対して表示された「カートに追加」の文字が表されたボタンを指示する操作とをすれば、商品Ｃを商品Ｄで入れ替えることができる。また、買い手ユーザが、決済画面において、商品Ｄに対して表示された「商品入替」の文字が表されたボタンを指示する操作をすれば、商品Ｃを商品Ｄで入れ替えることができる。
【００９３】
図３に戻って、課金部１７は、課金指示が入力されることに応じて、買い手ユーザに商品の代金および送料を課金する。商品の代金は、個別受注部９１または代替受注部９５から入力される決済指示のうち買い注文番号が同じ決済指示に含まれる１以上の商品レコードに基づいて、算出すればよい。課金の方法は、カード決済等の周知の方法を用いればよい。ここでは説明を繰り返さない。
【００９４】
売り手別分類部１９は、決済画面通知部１５から発注指示が入力されることに応じて、個別受注部９１または代替受注部９５から入力される１以上の決済指示のうち買い注文番号が同じ１以上の決済指示に含まれる１以上の商品レコードを、売り手別に分類する。具体的には、個別受注部９１または代替受注部９５から入力される１以上の決済指示のうち買い注文番号が同じ１以上の決済指示を、それぞれに含まれるサイト識別情報で分類する。これにより、売り手別に１以上の決済指示が分類される。１つのサイト識別情報に対して１以上の決定指示が関連付けられる。売り手別分類部１９は、サイト識別情報と、そのサイト識別情報に関連付けられた１以上の決済指示との組を、受注情報通知部２３に出力するとともに、サイト識別情報を送料分割部２１に出力する。１以上の決済指示が複数のサイト識別情報に分類される場合、売り手別分類部１９は、サイト識別情報と１以上の決済指示との組を、複数のサイト識別情報の数だけ受注情報通知部２３に出力し、複数のサイト識別情報のすべてを送料分割部２１に出力する。
【００９５】
送料分割部２１は、売り手別分類部１９から１以上のサイト識別情報が入力され、決済画面通知部１５から発注指示が入力される。送料分割部２１は、売り手別分類部１９から入力される１以上のサイト識別情報それぞれに関連付けられた保管場所識別情報を特定する。ＨＤＤ２０５に記憶されている保管場所テーブルを参照して、サイト識別情報がサイト識別情報の項目に設定された保管場所レコードを抽出し、保管場所識別情報を取得する。そして、１以上のサイト識別情報を保管場所識別情報で分類する。送料分割部２１は、複数のサイト識別情報が分類された保管場所識別情報については、発注指示に含まれる保管場所識別情報に割り当てられた送料を分割する。具体的には、送料分割部２１は、保管場所識別情報に割り当てられた送料を、その保管場所識別情報に分類された複数のサイト識別情報の数で除算することによって、送料を分割する。複数のサイト識別情報にそれぞれ対応する売り手ユーザで等分することにより、送料を分割する。送料分割部２１は、サイト識別情報と分割された送料との組をとの組を受注情報通知部２３に出力する。なお、商品の重量に応じて、送料を分配するようにしてもよい。また、商品価格の合計数に応じて分配するようにしてもよい。さらに、商品サイズに応じて分配してもよい。さらに、商品が予め物流倉庫に入庫されている場合と、入庫されていない場合とで、分配する割合に差を設けるようにしてもよい。
【００９６】
受注情報通知部２３は、売り手別分類部１９からサイト識別情報と１以上の決済指示との組が１以上入力され、送料分割部２１から複数のサイト識別情報と分割された送料とが入力される。受注情報通知部２３は、サイト識別情報ごとに受注情報を生成し、サイト識別情報に対応する売り手ユーザに受注情報を通知する。具体的には、サイト識別情報と組になる１以上の決済指示に含まれる商品レコードと、そのサイト識別情報と組になる送料と、をサイト識別情報に対応する売り手ユーザに通知する。受注情報通知部２３は、売り手別分類部１９からサイト識別情報と１以上の決済指示との組が複数入力される場合、複数のサイト識別情報ごとに、そのサイト識別情報と組になる１以上の決済指示に含まれる商品レコードと、そのサイト識別情報と組になる送料と、をそのサイト識別情報に対応する売り手ユーザに通知する。具体的には、売り手ユーザに電子メールで送信する。  物流管理サーバ５００は、一般的なコンピュータであり、複数の売り手ユーザが登録したショッピングサイトで提供する商品を保管する倉庫に、保管されている商品別にその商品の在庫数とその商品の倉庫中の位置等を管理する。物流管理サーバ５００は、電子商取引サーバ２００において買い注文が受け付けられ、決済が完了すると、電子商取引サーバ２００から買い注文と、商品の送信先を特定する情報とが受信される。物流管理サーバ５００は、電子商取引サーバ２００から受信される買い注文と商品の送信先を特定する情報とに基づいて、配送データを生成する。配送データは、買い注文で特定される商品の商品識別情報と個数、および在庫されている棚の位置、商品の送信先の住所を含む。物流管理サーバ５００が出力する情報に基づいて、作業者は、倉庫の棚に保管された商品を、必要な個数だけピックアップして、梱包することができ、送り先の住所に発送する作業が容易になる。
【００９７】
図１０は、ショッピングサイト生成処理の流れの一例を示すフローチャートである。ショッピングサイト生成処理は、ＣＰＵ２０１がＲＯＭ２０３に記憶されているプログラムを実行することによりＣＰＵ２０１により実行される処理である。
【００９８】
図１０を参照して、ＣＰＵ２０１は、ショッピングサイト生成要求を受け付けたか否かを判断する（ステップＳ０１）。第１の売り手ユーザＡおよび第２の売り手ユーザＢのいずれかが、売り手端末１０１，１０３を操作し、ショッピングサイトの登録要求を入力する操作をすれば、ショッピングサイト登録要求を受け付ける。ショッピングサイト登録要求を受け付けるまで待機状態となり（ステップＳ０１でＮＯ）、ショッピングサイト登録要求を受け付けると（ステップＳ０１でＹＥＳ）、処理をステップＳ０２に進める。以下、第１の売り手ユーザＡが売り手端末１０１を操作して、電子商取引サーバ２００にログインし、ショッピングサイト生成要求を入力した場合を例に説明する。
【００９９】
ステップＳ０２においては、保管場所を受け付ける。第１の売り手ユーザＡが、売り手端末１０１を操作し、ショッピングサイトに登録する商品を保管する場所を特定する情報を入力する操作をすれば、保管場所を受け付ける。予め保管場所ごとに保管場所を識別するための保管場所識別情報を付した保管場所データをＨＤＤ２０５に記憶しておき、第１の売り手ユーザＡが選択可能にすればよい。次のステップＳ０３においては、ショッピングサイト情報を登録する。ショッピングサイト情報は、第１の売り手ユーザＡが登録するショッピングサイトの名称と、ステップＳ０２において受け付けられた保管場所とを含む。この段階で、第１の売り手ユーザＡが登録するショッピングサイトのサイト識別情報と、ステップＳ０２において受け付けられた保管場所の保管場所識別情報とを含む保管場所レコードが生成され、ＨＤＤ２０５に記憶された保管場所テーブルに保管場所レコードが追加される。
【０１００】
ステップＳ０４においては、商品マスターを生成し、処理をステップＳ０５に進める。ここで生成される商品マスターは、売り手ユーザＡが登録するショッピングサイトに対応する商品マスターである。例えば、商品マスターは、売り手ユーザＡを識別するためのユーザ識別情報と関連付けられる。商品マスターは、ショッピングサイトに登録される１つの商品に対して１つの商品レコードを含む。ステップＳ０４の段階では、商品マスターは商品レコードを含まない。
【０１０１】
ステップＳ０５においては、商品登録要求を受け付けたか否かを判断する。第１の売り手ユーザＡが、売り手端末１０１を操作し、商品登録要求を入力する操作をすれば、商品登録要求を受け付ける。商品登録要求を受け付けると（ステップＳ０５でＹＥＳ）、処理をステップＳ０６に進め、そうでなければ処理をステップＳ１５に進める。商品登録要求は、新たな商品を登録するためのものと、他のショピングサイトに登録されている商品を登録するための代替商品登録要求と、を含む。
【０１０２】
ステップＳ０６においては、新たに登録する商品を識別するための商品識別情報を付与する。次のステップＳ０７においては、ステップＳ０５において受け付けられた商品登録要求が代替商品登録要求か否かを判断する。代替商品登録要求ならば処理をステップＳ０８に進め、そうでなければ処理をステップＳ１２に進める。第１の売り手ユーザＡが、売り手端末１０１を操作し、他のショッピングサイトの商品を選択する操作を入力すれば、代替商品登録要求を売り手端末１０１から受け付ける。代替商品登録要求は、第１の売り手ユーザＡが指定した商品が登録されたショッピングサイトのサイト識別情報と、その商品の商品識別情報と、を含む。
【０１０３】
ステップＳ１２においては、商品情報を取得する。第１の売り手ユーザＡが、売り手端末１０１を操作して入力する商品情報を取得する。商品情報は、商品名、写真、説明、を含む。次のステップＳ１３においては、商品レコードを生成する。具体的には、商品レコードの商品識別情報の項目に、ステップＳ０６において付与された商品識別情報を設定し、ステップＳ１２において取得された商品情報の商品名、写真、および説明を、商品レコードの商品名の項目、写真の項目、および説明の項目にそれぞれ設定する。次のステップＳ１４においては、生成された商品レコードを、ステップＳ０４において生成された商品マスターに追加し、処理をステップＳ１８に進める。
【０１０４】
ステップＳ０８においては、サイト識別情報を取得し、ステップＳ０９においては商品識別情報を取得する。代替商品登録要求に含まれるサイト識別情報と、商品識別情報と、を取得する。
【０１０５】
そして、商品レコードを生成する（ステップＳ１０）。具体的には、商品レコードの商品識別情報の項目に、ステップＳ０６において付与された商品識別情報を設定し、代替店識別情報の項目にステップＳ０８において取得されたサイト識別情報を設定し、代替商品識別情報の項目にステップＳ０９において取得された商品識別情報を設定する。次のステップＳ１１においては、生成された商品レコードをステップＳ０４において生成された商品マスターに追加し、処理をステップＳ１８に進める。
【０１０６】
ステップＳ１５においては、セット商品登録要求を受け付けたか否かを判断する。第１の売り手ユーザＡが、売り手端末１０１を操作し、セット商品登録要求を入力する操作をすれば、セット商品登録要求を受け付ける。セット商品登録要求を受け付けると（ステップＳ１５でＹＥＳ）、処理をステップＳ１６に進めるが、そうでなければ処理をステップＳ１８に進める。ステップＳ１６においては、セット商品登録処理を実行し、処理をステップＳ１７に進める。セット商品登録処理の詳細は後述するが、セット商品に対応する商品レコードを生成する処理である。ステップＳ１７においては、ステップＳ１６において生成されたセット商品に対応する商品レコードを、ステップＳ０４において生成された商品マスターに追加し、処理をステップＳ１８に進める。
【０１０７】
ステップＳ１８においては、商品の登録が終了したか否かを判断する。第１の売り手ユーザＡが、売り手端末１０１を操作し、商品の登録の終了を指示する操作を入力すれば、商品の登録が終了したと判断する。商品の登録が終了したならば処理を終了するが、そうでなければ処理をステップＳ０５に戻す。
【０１０８】
図１１は、セット商品登録処理の流れの一例を示すフローチャートである。セット商品登録処理は、図１０のステップＳ１６において実行される処理である。図１１を参照して、ステップＳ２１において、新たに登録するセット商品を識別するための商品識別情報を付与する。次のステップＳ２２においては、商品レコードのセットの項目にフラグ「○」を設定する。そして、商品が選択されたか否かを判断する（ステップＳ２３）。第１の売り手ユーザＡが、売り手端末１０１を操作し、ショッピングサイトの商品を選択する操作を入力すれば、商品が選択されたと判断する。ここでのショッピングサイトは、第１の売り手ユーザＡが登録した第１のショッピングサイトの場合と、第１のショッピングサイトとは別のショッピングサイトの場合がある。商品が選択された場合には処理をステップＳ２４に進めるが、そうでなければ処理をステップＳ３２に進める。
【０１０９】
ステップＳ２４においては、ステップＳ２３において選択された商品が、第１のショッピングサイトとは別のショッピングサイトに登録された商品か否かを判断する。別のショッピングサイトに登録された商品ならば処理をステップＳ２５に進めるが、第１のショッピングサイトに登録された商品ならば処理をステップＳ３１に進める、ステップＳ３１においては、ステップＳ２３において選択された商品の商品識別情報を取得し、処理をステップＳ３２に進める。
【０１１０】
ステップＳ２５においては、ステップＳ２３において選択された商品に対して第１のショッピングサイトにおける商品識別情報を付与する。処理がステップＳ２５に進む場合、ステップＳ２３において選択された商品は、第１のショッピングサイトとは別のショッピングサイトに登録された商品なので、第１のショッピングサイトで識別可能な商品識別情報を付与するためである。
【０１１１】
ステップＳ２６においては、サイト識別情報を取得する。ステップＳ２３において選択された商品が登録されているショッピングサイトのサイト識別情報を取得する。例えば、第２のショッピングサイトＳ００２に登録された商品が選択される場合には、サイト識別情報「Ｓ００２」を取得する。次に、商品識別情報を取得し（ステップＳ２７）、処理をステップＳ３２に進める。ステップＳ２３において選択された商品が登録されているショッピングサイトにおいて識別される商品識別情報を取得する。
【０１１２】
そして、商品レコードを生成する（ステップＳ２８）。具体的には、商品レコードの商品識別情報の項目に、ステップＳ２５において付与された商品識別情報を設定し、代替店識別情報の項目にステップＳ２６において取得されたサイト識別情報を設定し、代替商品識別情報の項目にステップＳ２７において取得された商品識別情報を設定する。
【０１１３】
次のステップＳ２９においては、ステップＳ２８において生成された商品レコードを商品マスターに追加し、処理をステップＳ３０に進める。ステップＳ３０において、追加された商品レコードの商品識別情報の項目に設定されている商品識別情報を、セット商品に追加するための商品識別情報として取得し、処理をステップＳ３２に進める。
【０１１４】
ステップＳ３２においては、セット終了の操作を受け付けたか否かを判断する。第１の売り手ユーザＡが、売り手端末１０１を操作し、セット終了を入力する操作をすれば、セット終了の操作を受け付ける。セット終了の操作を受け付けると（ステップＳ３２でＹＥＳ）、処理をステップＳ３３に進めるが、そうでなければ処理をステップＳ２３に戻す。
【０１１５】
処理がステップＳ３２に進む場合、ステップＳ３０またはステップＳ３１において、セット商品に含めるための商品の商品識別情報が取得されている。ステップＳ３３においては、セット商品の商品レコードを生成し、処理をショッピングサイト生成処理に戻す。具体的には、ステップＳ２１において付与されたセット商品の商品識別情報を商品識別情報の項目に設定し、セットの項目にフラグ「○」を設定し、セット商品内訳識別情報の項目に、ステップＳ３０またはステップＳ３１において取得された複数の商品識別情報を設定した商品レコードを生成する。
【０１１６】
図１２は、仮想ショッピングサイト生成処理の流れの一例を示すフローチャートである。仮想ショッピングサイト生成処理は、ＣＰＵ２０１がＲＯＭ２０３に記憶されているプログラムを実行することによりＣＰＵ２０１により実行される処理である。
【０１１７】
図１２を参照して、ＣＰＵ２０１は、仮想ショッピングサイト生成要求を受け付けたか否かを判断する（ステップＳ４１）。第３の売り手ユーザＣが、売り手端末１０５を操作し、仮想ショッピングサイト登録要求を入力する操作をすれば、仮想ショッピングサイト登録要求を受け付ける。仮想ショッピングサイト登録要求を受け付けるまで待機状態となり（ステップＳ４１でＮＯ）、仮想ショッピングサイト登録要求を受け付けると（ステップＳ４１でＹＥＳ）、処理をステップＳ４２に進める。
【０１１８】
ステップＳ４２においては、商品マスターを生成し、処理をステップＳ４３に進める。ここで生成される商品マスターは、第３の売り手ユーザＣが登録する仮想ショッピングサイトに対応する商品マスターである。例えば、商品マスターは、第３の売り手ユーザＣを識別するためのユーザ識別情報と関連付けられる。商品マスターは、仮想ショッピングサイトに登録される１つの商品に対して１つの商品レコードを含む。ステップＳ４２の段階では、商品マスターは商品レコードを含まない。
【０１１９】
ステップＳ４３においては、セット商品登録要求を受け付けたか否かを判断する。第３の売り手ユーザＣが、売り手端末１０５を操作し、セット商品登録要求を入力する操作をすれば、セット商品登録要求を受け付ける。セット商品登録要求を受け付けると（ステップＳ４３でＹＥＳ）、処理をステップＳ４４に進め、そうでなければ処理をステップＳ５１に進める。
【０１２０】
ステップＳ４４においては、新たに登録するセット商品を識別するための商品識別情報を付与する。次のステップＳ４３においては、商品が選択されたか否かを判断する。第３の売り手ユーザＣが、売り手端末１０５を操作し、ショッピングサイトの商品を選択する操作を入力すれば、商品が選択されたと判断する。ここでのショッピングサイトは、第１の売り手ユーザＡが登録した第１のショッピングサイトおよび第２の売り手ユーザＢが登録した第２のショッピングサイトのいずれかを含む。商品が選択された場合には処理をステップＳ４６に進めるが、そうでなければ処理をステップＳ４８に進める。
【０１２１】
ステップＳ４６においては、サイト識別情報を取得する。ステップＳ４５において選択された商品が登録されているショッピングサイトのサイト識別情報を取得する。例えば、第２のショッピングサイトＳ００２に登録された商品が選択される場合には、サイト識別情報「Ｓ００２」を取得する。次に、商品識別情報を取得し（ステップＳ４７）、処理をステップＳ４７に進める。ステップＳ４５において選択された商品が登録されているショッピングサイトにおいて識別される商品識別情報を取得する。
【０１２２】
そして、セット終了の操作を受け付けたか否かを判断する（ステップＳ４８）。第３の売り手ユーザＣが、売り手端末１０５を操作し、セット終了を入力する操作をすれば、セット終了の操作を受け付ける。セット終了の操作を受け付けると（ステップＳ４８でＹＥＳ）、処理をステップＳ４９に進めるが、そうでなければ処理をステップＳ４５に戻す。
【０１２３】
処理がステップＳ４９に進む場合、ステップＳ４６およびステップＳ４７において、ステップＳ４５において選択された商品ごとに、サイト識別情報と商品識別情報が取得されている。ステップＳ４９においては、セット商品の商品レコードを生成し、処理をステップＳ５０に進める。具体的には、ステップＳ４４において付与されたセット商品の商品識別情報を商品識別情報の項目に設定し、ステップＳ４５において選択された商品ごとに、サイト識別情報と商品識別情報とを、代替店識別情報の項目および代替商品識別情報の項目に設定した商品レコードを生成する。
【０１２４】
ステップＳ５０においては、ステップＳ４９において生成された商品レコードを、ステップＳ４２において生成された商品マスターに追加し、処理をステップＳ５１に進める。
【０１２５】
ステップＳ５１においては、セット商品の登録が終了したか否かを判断する。第３の売り手ユーザＣが、売り手端末１０５を操作し、セット商品の登録の終了を指示する操作を入力すれば、セット商品の登録が終了したと判断する。セット商品の登録が終了したならば処理を終了するが、そうでなければ処理をステップＳ４３に戻す。
【０１２６】
図１３は、受注処理の流れの一例を示すフローチャートである。受注処理は、ＣＰＵ２０１がＲＯＭ２０３に記憶されているプログラムを実行することによりＣＰＵ２０１により実行される処理である。
【０１２７】
ここでは、買い手ユーザが買い手端末３０１を操作して、電子商取引サーバ２００にログインした状態において、ＣＰＵ２０１が実行する受注処理を説明する。買い手端末３０１においてはブラウジングが実行され、電子商取引サーバ２００が送信するウェブページの閲覧が可能な状態である。
【０１２８】
図１３を参照して、ＣＰＵ２０１は、ショッピングサイトの選択を受け付けたか否かを判断する。買い手端末３０１からショッピングサイトを選択する指示が受信されると、ショッピングサイトの選択を受け付ける。ショッピングサイトの選択を受け付けられた処理をステップＳ６２に進めるが、そうでなければ処理をステップＳ６６に進める。
【０１２９】
ステップＳ６２においては、ショッピングサイトのページを出力する。具体的には、ステップＳ６１において選択されたショッピングサイトに登録された１以上の商品を選択可能に含むウェブページを生成し、生成されたウェブページを買い手端末３０１に送信する。これにより、買い手端末３０１にウェブページが表示され、買い手ユーザは１以上の商品を選択可能となる。
【０１３０】
ステップＳ６３においては、商品が選択されたか否かを判断する。買い手ユーザが商品を選択したならば、ステップＳ６１において選択されたショッピングサイトに登録されている１以上の商品のうちから１つが選択されたと判断する。商品が選択されると
(ステップＳ６３でＹＥＳ)、買い手ユーザが選択した商品を選択し、処理をステップＳ６４に進めるが、そうでなければステップＳ６４をスキップして処理をステップＳ７０に進める。
【０１３１】
ステップＳ６４においては、ショッピングカートに記憶する。ステップＳ６１において選択されたショッピングサイトのサイト識別情報と、ステップＳ６３において選択された商品の商品識別情報との組を買い注文としてショッピングカートに記憶する。
【０１３２】
一方、ステップＳ６５においては、検索指示を受け付けたか否かを判断する。買い手ユーザがキーワードを特定する検索指示を入力したならば、検索指示を受け付ける。検索指示を受け付けたならば処理をステップＳ６６に進めるが、そうでなければ処理をステップＳ６１に戻す。ステップＳ６６においては、検索指示に含まれるキーワードを検索キーにして、ＨＤＤ２０５に記憶されている商品マスターを検索する。キーワードを含む商品レコードを抽出する。そして、検索結果のウェブページを生成し、買い手端末３０１に送信する（ステップＳ６７）。ステップＳ６６における検索の結果、抽出された商品レコードで特定されるすべての商品を選択可能に表示するウェブページを生成する。これにより、買い手端末３０１にウェブページが表示され、買い手ユーザは１以上の商品を選択可能となる。
【０１３３】
次のステップＳ６８においては、商品が選択されたか否かを判断する。買い手ユーザが商品を選択したならば、ステップＳ６６において検索の結果抽出された商品レコードで特定される商品のうちから１つが選択されたと判断する。商品が選択されたならば、買い手ユーザが選択した商品を選択し、処理をステップＳ６９に進めが、そうでなければステップＳ６９をスキップして処理をステップＳ７０に進める。ステップＳ６９においては、ショッピングカートに記憶する。ステップＳ６８において選択された商品に対応するショッピングサイトのサイト識別情報と、商品識別情報との組を買い注文としてショッピングカートに記憶する。
【０１３４】
ステップＳ７０においては、購入指示を受け付けたか否かを判断する。買い手ユーザが購入指示を入力したならば、購入指示を受け付ける。購入指示は、商品を選択する操作の終了を電子商取引サーバ２００に通知するための指示である。購入指示を受け付けたならば処理をステップＳ７１に進めるが、そうでなければ処理をステップＳ６１に戻す。
【０１３５】
ステップＳ７１においては、ステップＳ６４またはステップＳ６９において、ショッピングカートに記憶された買い注文にセット商品が含まれるか否かを判断する。セット商品が含まれるならば処理をステップＳ７２に進めるが、そうでなければステップＳ７２をスキップして処理をステップＳ７３に進める。ステップＳ７２においては、セット商品に含まれる複数の商品を特定し、処理をステップＳ７３に進める。具体的には、ＨＤＤ２０５に記憶されている商品マスターから、セット商品の商品識別情報を含む商品レコードを抽出し、その商品レコードのセット商品内訳識別情報に設定されている複数の商品識別情報に基づいて複数の商品を特定する。また、抽出された商品レコードが、仮想ショッピングサイトに対応する商品マスターから抽出される場合には、抽出された商品レコードの代替店識別情報および代替商品識別情報にそれぞれ設定されているサイト識別情報および商品識別情報に基づいて、再度商品マスターを検索することによって商品を特定する。
【０１３６】
ステップＳ７３においては、買い注文で特定される商品に代替商品が含まれるか否かを判断する。代替商品が含まれるならば処理をステップＳ７４に進めるが、そうでなければステップＳ７４をスキップして処理をステップＳ７５に進める。ステップＳ７４においては、代替商品に対応する商品を特定し、処理をステップＳ７５に進める。具体的には、ＨＤＤ２０５に記憶されている商品マスターから、代替商品の商品識別情報を含む商品レコードを抽出し、その商品レコードの代替店識別情報の項目に設定されているサイト識別情報と代替商品識別情報の項目に設定されている商品識別情報とを取得する。そして、サイト識別情報と代替商品識別情報の項目に設定されている商品識別情報とｋら代替商品に対応する商品を特定する。また、抽出された商品レコードが、セット商品を特定する場合、ステップＳ７２と同様に、再度商品マスターを検索することによってセット商品に含まれる複数の商品を特定する。  処理がステップＳ７５に進む場合、ステップＳ６４またはステップＳ６９においてショッピングカートに記憶された買い注文で特定される商品が特定され、その商品がセット商品を含む場合には、そのセット商品に含まれる複数の商品が特定される。さらに、買い注文で特定される商品が代替商品の場合、または、セット商品に含まれる複数の商品のうちに代替商品が含まれる場合には、代替商品に代えて代替商品に対応する商品が特定される。さらに、代替商品に対応する商品がセット商品の場合には、そのセット商品に含まれる複数の商品が特定される。以下、処理がステップＳ７５に進む段階で特定されている商品を買い注文商品という。
【０１３７】
ステップＳ７５においては、買い注文商品を保管場所別に分類する。買い注文商品が登録されているショッピングサイトのサイト識別情報と関連付けられた保管場所識別情報を取得し、買い注文商品を、保管場所識別情報別に分類する。
【０１３８】
次のステップＳ７６においては、ステップＳ７５において買い注文商品が分類された保管場所識別情報それぞれに対応する送料を決定する。保管場所識別情報別の予めする送料が決定されている場合には、その送料を決定する。
【０１３９】
次のステップＳ７７においては、保管場所が複数か否かを判断する。ステップＳ７５において買い注文商品が分類された保管場所識別情報が複数ならば処理をステップＳ７８に進めるが、そうでなければ処理をステップＳ７９に進める。
【０１４０】
ステップＳ７８においては、推奨商品を抽出する。複数の保管場所識別情報のうちから分類された買い注文商品が最多の保管場所識別情報を選択する。なお、複数の保管場所識別情報のうちから予め定められた保管場所情報を選択するようにしてもよい。次に、選択された保管場所識別情報と保管場所テーブルによって関連付けられた１以上のサイト識別情報を特定する。そして、特定されたサイト識別情報に関連付けられた商品マスターを検索の対象となる商品マスターに決定する。さらに、検索の対象に決定された商品マスターを検索して、選択されなかった保管場所識別情報に分類された商品と類似の商品を抽出する。例えば、商品名が同一または類似の商品、商品の種類が同一または類似の商品を抽出する。
【０１４１】
次のステップＳ７９においては、決済画面を生成する。決済画面は、保管場所識別情報別に買い注文商品の情報と、ステップＳ７６において決定された保管場所識別情報別の送料と、ステップＳ７８において推奨商品が抽出される場合には推奨商品を選択可能に表示する領域と、を含む。
【０１４２】
ステップＳ８０においては、生成された決済画面を買い手端末３０１に送信する。これにより、買い手端末３０１に決済画面が表示され、買い手ユーザは商品の購入を確定する決済指示を入力する操作をすることができる。
【０１４３】
ステップＳ８１においては、決済指示を受け付けたか否かを判断する。買い手ユーザが決済指示を入力したならば、決済指示を受け付け、処理をステップＳ７２に進めるが、そうでなければ処理をステップＳ６１に戻す。なお、処理がステップＳ８１に進む前の段階で、ショッピングカートに記憶されている商品レコードを削除可能にしてもよいし、数量を変更可能にしてもよい。
【０１４４】
ステップＳ８２においては、売り手ユーザに商品の価格と送料とを課金し、処理をステップＳ８３に進める。ステップＳ８３においては、発注処理を実行し、処理を終了する。
【０１４５】
図１４は、発注処理の流れの一例を示すフローチャートである。発注処理は、図１３のステップＳ８３において実行される処理である。図１４を参照して、ステップＳ９１においては、買い注文商品が複数否かを判断する。買い注文商品が複数ならば処理をステップＳ９２に進めるが、そうでなければ処理をステップＳ９６に進める。
【０１４６】
処理がステップＳ９２に進む場合には、買い注文商品が複数の場合である。このため、ステップＳ９２においては、複数の買い注文商品を売り手別に分類する。そして、売り手が複数か否かを判断する（ステップＳ９３）。売り手が複数ならば処理をステップＳ９４に進めるが、そうでなければ処理をステップＳ９６に進める。
【０１４７】
ステップＳ９４においては、図１３のステップＳ７６において決定された送料を複数の売り手に分割する。送料を、複数の売り手の数で除算すればよい。そして、複数の売り手別に受注情報を生成し、通知する（ステップＳ９５）。売り手別に分類された１以上の商品の商品レコードと、ステップＳ９４で決定された送料と、買い手ユーザの識別情報とを含む受注情報を生成する。そして、売り手別に、対応する受注情報を送信し、処理を終了する。例えば、売り手ユーザに受注情報を電子メールで送信する。
【０１４８】
ステップＳ９６においては、受注情報を生成し、通知し、処理を終了する。処理がステップＳ９１からステップＳ９６に進む場合には、確定された買い注文に単一の商品が含まれる場合である。また、処理がステップＳ９３からステップＳ９６に進む場合には、確定された買い注文に複数の商品が含まれるが、売り手ユーザが一人の場合である。いずれの場合であっても、単一の売り手ユーザである。このため、ステップＳ９６においては、買い注文商品の商品レコードと、図１３のステップＳ７６で決定された送料と、買い手ユーザの識別情報とを含む受注情報を生成する。そして、生成された受注情報を売り手ユーザに通知する。例えば、売り手ユーザに受注情報を電子メールで送信する。
【０１４９】
以上説明したように、本実施の形態における電子商取引サーバ２００は、第１の売り手ユーザＡからの要求によって、第１の売り手ユーザＡによって登録された第１のショッピングサイトの商品として、第２の売り手ユーザＢによって登録された第２のショッピングサイトの商品が関連付けられ、第１のショッピングサイトに対する買い注文に対する商品が、第２のショッピングサイト内の商品と関連付けられている場合、第１のショッピングサイトに対する買い注文を第２のショッピングサイトに対する買い注文として受け付ける。このため、第１のショッピングサイトで第２のショッピングサイトの商品を提供することができる。さらに、第２のショッピングサイトの商品が、第１のショッピングサイトで買い注文が受け付けられると、第２のショッピングサイトに対する買い注文として受け付ける。このため、第１の売り手ユーザＡは、第２のショッピングサイトの商品を提供することができるとともに、第１のショッピングサイトに対する買い注文を第２のショッピングサイトに対する買い注文として受け付けることができる。第２のショッピングサイトの商品が第１のショッピングサイトの商品とされるので、第２のショッピングサイトの商品の販売機会を増加することができる。
【０１５０】
なお、本実施の形態においては、第１の売り手ユーザＡと第２の売り手ユーザＢとがそれぞれショッピングサイトを登録可能とし、電子商取引サーバ２００にショッピングサイトを登録した複数の売り手ユーザがそれぞれ他のショッピングサイトの商品を自身のショッピングサイトの商品として登録可能にしたが、他のショッピングサイトの商品を自身のショッピングサイトの商品として登録可能な売り手ユーザを、特定の売り手ユーザに制限するようにしてもよい。特定の売り手ユーザは、例えば、電子商取引サーバ２００の管理者が選択し、登録した売り手ユーザである。例えば、電子商取引サーバ２００の管理者が第１の売り手ユーザを、特定の売り手ユーザに選択する場合、第１の売り手ユーザＡが、第２の売手ユーザＢが登録した第２のショッピングサイトに登録された商品を、自身の第１のショッピングサイトの商品として登録可能であるが、第２の売り手ユーザＢが、第１の売手ユーザＡが登録した第１のショッピングサイトに登録された商品を、自身の第２のショッピングサイトの商品として登録不可能となる。
【０１５１】
また、他のショッピングサイトに登録可能か否かを、売り手ユーザが決定するようにしてもよい。例えば、第１の売り手ユーザＡが自身の第１のショッピングサイトに登録された商品を、他のショッピングサイトに登録可能に設定し、第２の売り手ユーザＢが自身の第２のショッピングサイトに登録された商品を、他のショッピングサイトに登録不可能に設定することができるようにする。この場合、第１の売り手ユーザＡが、第２の売手ユーザＢが登録した第２のショッピングサイトに登録された商品を、自身の第１のショッピングサイトの商品として登録不可能であるが、第２の売り手ユーザＢが、第１の売手ユーザＡが登録した第１のショッピングサイトに登録された商品を、自身の第２のショッピングサイトの商品として登録可能となる。
【０１５２】
さらに、特定の売手ユーザの登録と、他のショッピングサイトに登録可能か否かの設定とを組み合わせてもよい。
【０１５３】
また、複数のショッピングサイトそれぞれに登録された複数の商品を１つのセット商品として登録するので、売り手は関連する商品を１つの商品として登録することができる。特に、例えば、第１のショッピングサイトにおいて、第１のショッピングサイトに登録された複数の商品を１つのセット商品とすることができ、また、第１のショッピングサイトに登録された１以上の商品と、第２のショッピングサイトに登録された１以上の商品とを１つのセット商品として登録することができる。このため、１つの商品を他の商品と組み合わせた新たなセット商品として販売することができるので、商品のバリエーションを増加することができる。特に、他のショッピングサイトに登録された商品と組み合わせることで、新たな価値をもつセット商品とすることができ、買い手ユーザの購買意欲を向上させることができる。
【０１５４】
また、電子商取引サーバ２００は、第１のショッピングサイトＳ００１および第２のショッピングサイトＳ００２それぞれが提供する複数の商品の少なくとも１つずつを関連付けたセット商品を提供する仮想ショッピングサイトＶ００１を生成し、仮想ショッピングサイトＶ００１が提供するセット商品に対する買い注文を、第１のショッピングサイトＳ００１および第２のショッピングサイトＳ００２のうちセット商品に含まれる複数の商品それぞれに関連付けられたショッピングサイトに対する買い注文として受け付ける。複数のショッピングサイトそれぞれが提供する複数の商品の少なくとも１つずつを仮想ショッピングサイトのセット商品として関連付けるので、複数のショッピングサイトの商品を含む商品を販売する仮想ショッピングサイトを生成できる。このため、複数のショッピングサイトで商品を販売する機会を増加することができる。
【０１５５】
さらに、仮想ショッピングサイトＶ００１に登録されたセット商品を、第１のショッピングサイトＳ００１と第２のショッピングサイトＳ００２の商品として登録することもできる。この場合に、上記特定の売手ユーザが登録されている場合であっても、任意の売り手ユーザが、仮想ショッピングサイトに登録されたセット商品を自身のショッピングサイトの商品として登録可能にしてもよい。
【０１５６】
また、買い手ユーザからセット商品に対する１回の買い注文に対して、セット商品に含まれる複数の商品それぞれにおいて、複数のショッピングサイトのうち当該商品を提供するショッピングサイトに対応する買い注文として受け付ける。このため、買い手ユーザは、１回の注文をすればよいので、複数のショッピングサイトでそれぞれ買い注文をする必要がない。このため、買い手ユーザの操作の利便性を向上させることができる。
【０１５７】
また、同一の買い手ユーザから第１のショッピングサイトの商品に対する買い注文と、第２のショッピングサイトの商品に対する買い注文が受け付けられると、２つの買い注文で定まる２つの商品を１回で発送するための送料を買い手ユーザに通知する。このため、複数の買い注文に対して１回で発送する送料で済むので、買い手ユーザの購買意欲を向上させることができる。
【０１５８】
さらに、同一の買い手ユーザが、保管場所が同じ複数の商品、例えば、ショッピングサイト識別情報「Ｓ００１」のショッピングサイトに登録された商品識別情報「Ａ００１」の商品Ａと、ショッピングサイト識別情報「Ｓ００２」のショッピングサイトに登録された商品識別情報「Ｂ００１」の商品Ｂと、に対して買い注文を入力した場合、２つの買い注文で定まる商品Ａと商品Ｂとを１回で発送するための送料「１，０００」を含む決済画面を買い手ユーザに通知する。このため、買い手ユーザは、保管場所が同じ複数の商品を購入するようになるので、買い手ユーザの購買意欲を向上させることができる。
【０１５９】
さらに、同一の買い手ユーザが、ショッピングサイト識別情報「Ｓ００１」のショッピングサイトに登録された商品識別情報「Ａ００１」の商品Ａと、ショッピングサイト識別情報「Ｓ００２」のショッピングサイトに登録された商品識別情報「Ｂ００１」の商品Ｂと、に加えて、商品Ａおよび商品Ｂとは保管場所の異なるショッピングサイト識別情報「Ｓ００３」のショッピングサイトに登録された商品識別情報「Ｃ００１」の商品Ｃに対して買い注文を入力した場合、商品Ａおよび商品Ｂと保管場所が同じであって、商品Ｃと同一または類似の推奨商品、例えば、ショッピングサイト識別情報「Ｓ００４」のショッピングサイトに登録された商品識別情報「Ｄ００１」の商品Ｄを、商品Ｃに代わる推奨商品として買い手ユーザに通知する。商品Ａ，商品Ｂおよび商品Ｄは、保管場所が同じなので、１回で発送することができるので、商品Ａ，商品Ｂを１回で発送するとともに商品Ｃを発送する場合よりも送料が安くなる場合がある。このため、買い手ユーザに、より安く購入できる商品の組み合わせを提示することで、買い手ユーザにコストメリットのある商品の組み合わせに関する情報を提供することができる。また、売り手ユーザにおいては、他の商品と組み合わせて購入される場合に、他の商品よりも優先して購入される機会が増加するので、商品の販売数量が増加する場合がある。
【０１６０】
なお、上述した実施の形態においては、保管場所をショッピングサイト別に登録するようにしたが、ショッピングサイトに登録される商品別に保管場所を登録するようにしてもよい。この場合には、商品マスターにおいて、商品レコードに保管場所識別情報の項目を設けるようにし、商品をショッピングサイトに登録する際に、売り手ユーザが保管場所識別情報を設定するようにすればよい。
【０１６１】
また、複数の買い注文で定まる複数の商品のうちに、保管場所が互いに異なる第１の商品と第２の商品とが含まれる場合、第１の商品と保管場所が同じ商品であって、第２の商品と同一または類似する第３の商品を推奨商品として前記買い手ユーザに通知するようにした。これに代えて、複数の買い注文で定まる複数の商品のうちに、保管場所が互いに異なる第１の商品と第２の商品とが含まれる場合、第１の商品と保管場所が同じ第３の商品を推奨商品として買い手ユーザに通知するようにしてもよい。この場合、買い手ユーザに、送料が増加することなく購入可能な商品を通知することができる。その結果、買い手ユーザの購買意欲を向上させることができるとともに、売り手ユーザの販売機会を増加させることができる。
【０１６２】
さらに、決済画面に、買い注文で定まる１以上の商品と、保管場所が同じ別の商品を、推奨商品として含めるようにしてもよい。この場合に、決済画面においては、推奨商品を追加して購入しても送料が同じであることを買い手ユーザに通知するためのメッセージを含むのが好ましい。保管場所が同じ商品を追加して購入しても送料は同じだからである。
【０１６３】
この場合において、推奨商品抽出部５７は、決済画面通知部１５から抽出指示が入力されると、抽出指示に含まれる複数の組の１つを選択し、選択された組に含まれる保管場所識別情報を特定する。そして、推奨商品抽出部５７は、ＨＤＤ２０５に記憶されたすべての商品マスターのうちから検索対象となる商品マスターを決定する。そして、特定されたサイト識別情報に関連付けられた商品マスターを検索の対象となる商品マスターに決定する。推奨商品抽出部５７は、検索の対象に決定された商品マスターに含まれる商品レコードを選択し、選択された商品の商品レコードおよびサイト識別情報の組を決済画面通知部１５に返信する。
【０１６４】
また、送料決定部１３において、決定された送料が無料「０円」の場合、複数の売り手ユーザが送料を分担して負担するようにしてもよい。この場合、送料分割部２１は、実際に発生する送料を、買い注文に含まれる複数の商品がそれぞれ登録された複数のショッピングサイトと登録した複数の売り手ユーザそれぞれの負担額を算出する。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１６６】
＜付記＞
（１）  前記送料通知手段は、前記買い手ユーザによる前記複数の買い注文の確定前に送料を通知する、請求項１に記載の電子商取引サーバ。
（２）  前記買い手注文が確定した場合、前記複数の買い注文で定まる複数の商品を１回で発送するための送料を、前記複数の売り手ユーザのうち前記複数のショッピングサイトにそれぞれ対応する複数の売り手ユーザに分配する送料分割手段をさらに備えた、請求項１または（１）に記載の電子商取引サーバ。
【０１６７】
この局面に従えば、買い手ユーザが負担する送料を、複数の売り手ユーザに分配される。このため、一人の買い手ユーザと複数の売り手ユーザと間における送料の支払いを調整することができる。
（３）  前記複数の買い注文で定まる複数の商品のうちに、保管場所が互いに異なる第１の商品と第２の商品とが含まれる場合、前記第１の商品と保管場所が同じ商品であって、前記第２の商品と同一または類似する第３の商品を推奨商品として買い手ユーザに通知する推奨商品通知手段を、さらに備える。
この局面に従えば、保管場所が異なる商品と同一または類似する商品が推奨商品として買い手ユーザに通知される。このため、買い手ユーザに、１回で発送することのできる複数の商品の組み合わせを通知することができる。その結果、買い手ユーザは、送料が安くなる商品の組み合わせを選択することができる。  
【符号の説明】
【０１６８】
１  電子商取引システム、Ｎ  インターネット、１０１、１０３、１０５、３０１、３０３、３０５  ユーザ端末、２００  電子商取引サーバ、５００  物流管理サーバ、１１  保管場所別分類部、１３  送料決定部、１５  決済画面通知部、１５  決済画面通知部、１５  決済画面通知部、１５  決済画面通知部、１７  決済画面通知部、１９  手別分類部、２１  送料分割部、２３  受注情報通知部、５１  ショッピングサイト管理部、５３  受注部、５５  決済部、５７  推奨商品抽出部、６１，７１  ショッピングサイト生成部、６３，７３  関連付部、６５，７５  セット部、８１  仮想ショッピングサイト生成部、８３  仮想関連付部、９１  個別受注部、９３  セット商品受注部、９５  代替受注部、２０１  ＣＰＵ、２０２  ＲＯＭ、２０３  ＲＡＭ、２０４  ネットワークＩ／Ｆ、２０５  ＨＤＤ、２０６  表示部、２０７  操作部、２０８  バス、２０９  外部記憶装置、２０９Ａ  ＣＤ−ＲＯＭ、３５１，３６１，３７１  商品マスター、Ｓ００１  第１のショッピングサイト、Ｓ００２  第２のショッピングサイト、Ｖ００１  仮想ショッピングサイト。
【図１】
0005629797.tif 000002
【図２】
0005629797.tif 000003
【図３】
0005629797.tif 000004
【図４】
0005629797.tif 000005
【図５】
0005629797.tif 000006
【図６】
0005629797.tif 000007
【図７】
0005629797.tif 000008
【図８】
0005629797.tif 000009
【図９】
0005629797.tif 000010
【図１０】
0005629797.tif 000011
【図１１】
0005629797.tif 000012
【図１２】
0005629797.tif 000013
【図１３】
0005629797.tif 000014
【図１４】
0005629797.tif 000015